(57)【要約】回線網とパケット網との異種通信網間を接続するゲートウェイ装置において、音声符号化データの遅着、損失による音の途切れを解消し音声品質の劣化を最小限に抑え音声通話としての短い遅延を維持する方法と装置の提供。ゲートウェイ装置の音声データ処理回路５５０は、多重化データ分離回路２００から単位周期に出力の期待される音声符号化データ数の期待値と、実際の音声符号化データ数を比較し、実際の音声符号化データ数が期待値を下回った場合、送出先の端末に誤り隠蔽処理を実行させる符号化データを生成し、音声符号化データとともに、パケット化して送信回路８０１からパケット網に送信し、また一定周期でパケット網の受信回路から音声データを取得できなかった場合には、取得不可の旨を示す信号を生成して、符号化データの生成または廃棄処理の選択を行いデータ多重化回路９００、回線網終端回路１００から回線網に送出する。
2005034447.tif 000002
【特許請求の範囲】
【請求項１】
第１の通信網と第２の通信網との異種通信網間を接続するゲートウェイ装置において、
前記第１の通信網及び前記第２の通信網の少なくとも一方の通信網からのデータが遅着又は損失したか判定する判定手段と、
前記判定の結果、前記第１の通信網及び前記第２の通信網の少なくとも一方の通信網からのデータが遅着又は損失した場合に、他方の通信網の送出先の端末にて誤り隠蔽処理を実行させるためのデータを生成するか、又は、取得したデータを廃棄する制御を行う制御手段と、
を含む、ことを特徴とするゲートウェイ装置。
【請求項２】
前記第１の通信網が回線網よりなり、
前記第２の通信網がパケット網よりなり、
前記回線網からの符号化データが遅着又は損失したか判定する第１の判定手段と、
前記制御手段が、前記判定の結果、前記回線網からの符号化データが遅着又は損失した場合に、前記パケット網側の送出先の端末にて誤り隠蔽処理を実行させるための符号化データを生成するか、又は、取得した符号化データを廃棄する制御を行う第１の制御手段と、
を含む、ことを特徴とする請求項１記載のゲートウェイ装置。
【請求項３】
前記第１の通信網が回線網よりなり、
前記第２の通信網がパケット網よりなり、
前記判定手段が、前記パケット網からの符号化データが遅着又は損失したか判定する第２の判定手段と、
前記判定の結果、前記回線網からの符号化データが遅着又は損失した場合に、前記回線網側の送出先の端末にて誤り隠蔽処理を実行させるための符号化データを生成するか、又は、遅着した符号化データを廃棄する制御を行う第２の制御手段と、
を含む、ことを特徴とする請求項１又は２記載のゲートウェイ装置。
【請求項４】
第１の通信網と第２の通信網との異種通信網間を接続するゲートウェイ装置において、
前記第１の通信網及び第２の通信網の少なくとも一方の通信網からの符号化データが遅着又は損失したか判定する判定手段と、
前記判定の結果、前記第１の通信網及び第２の通信網の少なくとも一方の通信網からの符号化データが遅着又は損失した場合に、誤り隠蔽処理にてデータを生成するか、又は、取得した符号化データを廃棄する制御を行う制御手段と、
前記制御手段で処理された、前記少なくとも一方の通信網からの符号化データを復号し復号データを出力する復号手段と、
前記制御手段の前記誤り隠蔽処理から得られるデータ、及び、前記復号データを、前記一方の通信網からの符号化データの符号化方式とは異なる符号化方式で符号化して出力する符号化手段と、
を含む、ことを特徴とするゲートウェイ装置。
【請求項５】
前記第１の通信網が回線網よりなり、
前記第２の通信網がパケット網よりなり、
前記回線網からの符号化データが遅着又は損失したか判定する第１の判定手段と、
前記判定の結果、前記回線網からの符号化データが遅着又は損失した場合に、誤り隠蔽処理にてデータを生成するか、又は、取得した符号化データを廃棄する制御を行う第１の制御手段と、
前記第１の制御手段で処理された、前記回線網からの符号化データを復号し復号データを出力する第１の復号手段と、
前記第１の制御手段の前記誤り隠蔽処理から得られるデータ、及び、前記第１の復号手段からの前記復号データを、前記回線網からの符号化データの符号化方式とは異なる符号化方式で符号化して出力する第１の符号化手段と、
を含む、ことを特徴とする請求項４記載のゲートウェイ装置。
【請求項６】
前記第１の通信網が回線網よりなり、
前記第２の通信網がパケット網よりなり、
前記パケット網からの符号化データが遅着又は損失したか判定する第２の判定手段と、
前記判定の結果、前記回線網からの符号化データが遅着又は損失した場合に、誤り隠蔽処理にてデータを生成するか、又は、遅着した符号化データを廃棄する制御を行う第２の制御手段と、
前記第２の制御手段で処理された前記パケット網からの符号化データを復号し復号データを出力する第２の復号手段と、
前記第２の制御手段の前記誤り隠蔽処理から得られるデータ、及び、前記第２の復号手段からの前記復号データを前記パケット網からの符号化データの符号化方式とは異なる符号化方式で符号化して出力する第２の符号化手段と、
を含む、ことを特徴とする請求項４又は５記載のゲートウェイ装置。
【請求項７】
前記第１の判定手段は、前記回線網から、所定の周期あたり、実際に取得した符号化データと、前記周期あたり取得が期待される符号化データの数に関して予め算出された期待値と、を比較し、前記比較結果に基づき、前記回線網からの符号化データが遅着又は損失したか判定する、ことを特徴とする請求項２又は５のいずれか一に記載のゲートウェイ装置。
【請求項８】
前記第１の判定手段は、
前記回線網から受信した多重化データを分離する多重化データ分離回路より出力される符号化データを受け取って計数し、所定の周期あたりの符号化データの取得数と、前記多重化データ分離回路から前記周期あたり出力が期待される符号化データの数の期待値とを比較し、比較の結果、
前記符号化データの取得数と前記期待値とが同数の場合には、前記多重化データ分離回路より受け取った前記符号化データを出力し、
前記符号化データの取得数が前記期待値よりも少ない場合には、不足数分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データとともに出力する第１の判定回路を備え、
前記第１の制御手段は、
前記第１の判定回路から出力される、前記符号化データ、前記生成要求信号、前記廃棄要求信号のうちの少なくとも１つを受け取り、
前記第１の判定回路から前記符号化データのみを受け取った場合には、受け取った前記符号化データを出力し、
前記生成要求信号を受け取った場合には、不足分のデータを作成するように指示し、
前記廃棄要求信号を受け取った場合には、受け取った符号化データのうち前記廃棄要求信号の示す過剰分廃棄し、残りの符号化データを出力する第１の選択回路と、
前記第１の選択回路からの指示を受けて、送出先の端末にて誤り隠蔽処理を実行させるための符号化データを生成する第１の符号化データ生成回路と、
を備えている、ことを特徴とする請求項２記載のゲートウェイ装置。
【請求項９】
前記第２の判定手段は、所定の周期毎に、前記パケット網からのパケットデータが受信回路より取得可能か否か調べ、前記パケットデータが前記受信回路より得られた場合、前記パケットデータから符号化データを抽出し、前記パケットデータが取得不可の場合、符号化データの遅着又は損失と判定する、ことを特徴とする請求項３又は６記載のゲートウェイ装置。
【請求項１０】
前記第２の判定手段は、
所定の周期にて処理開始要求信号を出力するタイマ回路と、
前記タイマ回路からの処理開始要求信号、又は、再取得要求信号を受け取った時点で、前記パケット網からパケットデータを受信する受信回路からパケットデータの取得を試み、
前記試みが成功した場合には、前記パケットデータから符号化データを抽出し、
前記受信回路からパケットデータの取得の試みが失敗した場合には、取得不可の旨を示す信号を出力する符号化データ抽出回路と、
前記符号化データ抽出回路から受け取った信号が、前記取得不可の旨を示す信号である場合、送付先の端末にて誤り隠蔽処理を実行させるために、生成要求信号を出力し、
前記符号化データ抽出回路で抽出された符号化データを受け取り、かつ直前に、前記符号化データ抽出回路が生成要求信号を出力していない場合には、前記符号化データ抽出回路から受け取った符号化データを出力し、
前回の判定の結果、前記符号化データ抽出回路が生成要求信号を出力しており、今回、前記符号化データ抽出回路から受け取った符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記符号化データ抽出回路へ出力する第２の判定回路と、
を備え、
前記第２の制御手段は、
前記第２の判定回路より符号化データだけを受け取った場合には、該符号化データを出力し、前記第２の判定回路より前記生成要求信号を受け取った場合には、誤り隠蔽処理の実行を指示し、前記第２の判定回路より前記廃棄要求信号を受け取った場合には、前記第２の判定回路から受け取った符号化データを必要な分だけ削除し、残りの符号化データを出力する第２の選択回路と、
前記第２の選択回路からの誤り隠蔽処理の実行の指示を受けて、回線網側の端末で、誤り隠蔽処理を実行させるために必要な符号化データを生成する第２の符号化データ生成回路と、
を備えている、ことを特徴とする請求項３記載のゲートウェイ装置。
【請求項１１】
前記第１の判定手段は、
前記回線網から受信した多重化データを分離する多重化データ分離回路より出力される符号化データを受け取って計数し、所定の周期あたりの符号化データの取得数と、前記多重化データ分離回路から前記周期あたり出力が期待される符号化データの数の期待値とを比較し、比較の結果、
前記符号化データの取得数と前記期待値とが同数の場合には、前記多重化データ分離回路より受け取った前記符号化データを出力し、
前記符号化データの取得数が前記期待値よりも少ない場合には、不足分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データととも出力する第１の判定回路を備え、
前記第１の制御手段は、
前記第１の判定回路から、前記符号化データ、前記生成要求信号、前記廃棄要求信号のうちの少なくとも１つを受け取り、
前記第１の判定回路から前記符号化データのみを受け取った場合には、受け取った前記符号化データを出力し、
前記生成要求信号を受け取った場合には、不足分のデータを作成するように指示し、
前記廃棄要求信号を受け取った場合には、前記廃棄要求信号の示す数分だけ、受け取った符号化データを廃棄し、残りの符号化データを出力する第１の選択回路と、
前記第１の制御手段の前記第１の選択回路からの指示を受けて、誤り隠蔽処理によりデータを生成する第１の誤り隠蔽処理回路と、
を備え、
前記第１の復号手段は、前記第１の制御手段の前記第１の選択回路で処理された、前記回線網からの符号化データを復号し復号データを出力する第１の復号回路よりなり、
前記第１の符号化手段は、前記第１の復号回路から得られるデータと、前記第１の誤り隠蔽処理回路から得られるデータを符号化して出力する第１の符号化回路よりなる、ことを特徴とする請求項５記載のゲートウェイ装置。
【請求項１２】
前記第２の判定手段は、
所定の周期にて処理開始要求信号を出力するタイマ回路と、
前記タイマ回路からの処理開始要求信号、又は、再取得要求信号を受け取った時点で、前記パケット網からパケットデータを受信する受信回路からパケットデータの取得を試み、
前記試みが成功した場合には、前記パケットデータから符号化データを抽出し、
前記受信回路からパケットデータの取得の試みが失敗した場合には、取得不可の旨を示す信号を出力する符号化データ抽出回路と、
前記符号化データ抽出回路から受け取った信号が、前記取得不可の旨を示す信号である場合、誤り隠蔽処理によりデータを生成するために、生成要求信号を出力し、
前記符号化データ抽出回路で抽出された符号化データを受け取り、かつ直前に、前記符号化データ抽出回路が生成要求信号を出力していない場合には、前記符号化データ抽出回路から受け取った符号化データを出力し、
前回の判定の結果、前記符号化データ抽出回路が生成要求信号を出力しており、今回、前記符号化データ抽出回路から受け取った符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記符号化データ抽出回路へ出力する第２の判定回路と、
を備え、
前記第２の制御手段は、
前記第２の判定回路より符号化データだけを受け取った場合には、該符号化データを出力し、前記第２の判定回路より生成要求信号を受け取った場合には、誤り隠蔽処理の実行を指示し、前記第２の判定回路より廃棄要求信号を受け取った場合には、前記第２の判定回路から受け取った符号化データを必要な分だけ削除し残りの符号化データを出力する第２の選択回路と、
誤り隠蔽処理によりデータを生成する第２の誤り隠蔽処理回路と、
を備え、
前記第２の復号手段は、前記第２の制御手段の前記第２の選択回路で処理された、前記パケット網からの符号化データを復号し復号データを出力する第２の復号回路よりなり、
前記第２の符号化手段は、前記第２の復号回路から得られるデータと、前記第２の誤り隠蔽処理回路から得られるデータを符号化して出力する第２の符号化回路よりなる、
ことを特徴とする請求項６記載のゲートウェイ装置。
【請求項１３】
回線網とパケット網間を接続するゲートウェイ装置において、
前記回線網から受信した多重化データを分離する多重化データ分離回路と、
前記多重化データ分離回路で分離された符号化データを処理しパケット化して出力するデータ処理回路と、
前記データ処理回路から出力されるパケットデータをパケット網に送信する送信回路と、
を備え、
前記データ処理回路は、
前記回線網から受信した多重化データを分離する多重化データ分離回路より所定の周期毎に出力される符号化データを受け取って計数し、前記所定の周期あたりの符号化データの取得数と、前記多重化データ分離回路から前記周期あたり出力が期待される符号化データの数の期待値とを比較し、比較の結果、
前記符号化データの取得数と前記期待値とが同数の場合には、前記多重化データ分離回路より受け取った前記符号化データを出力し、
前記符号化データの取得数が前記期待値よりも少ない場合には、不足分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データととも出力する第１の判定回路と、
前記第１の判定回路から出力される前記符号化データ、前記生成要求信号、前記廃棄要求信号のうちの少なくとも１つを受け取り、
前記符号化データのみを受け取った場合には、受け取った前記符号化データを出力し、
前記生成要求信号を受け取った場合には、不足分のデータを作成するように指示し、
前記廃棄要求信号を受け取った場合には、該廃棄要求信号の示す数分だけ、受け取った符号化データを廃棄し、残りの符号化データを出力する第１の選択回路と、
前記第１の選択回路からの指示を受けて、パケット網側の送出先の端末にて誤り隠蔽処理を実行させるための符号化データを生成する第１の符号化データ生成回路と、
前記第１の選択回路から出力される符号化データと、前記第１の符号化データ生成回路から出力される符号化データとを入力とし、入力した符号化データをパケットデータ形式に変換するパケットデータ構築回路と、
を備えている、ことを特徴とするゲートウェイ装置。
【請求項１４】
回線網とパケット網間を接続するゲートウェイ装置において、
前記パケット網からパケットデータを受信する受信回路と、
前記受信回路からパケットデータを受け取り符号化データを抽出して出力するデータ処理回路と、
前記データ処理回路の出力を多重化して回線網終端回路に出力するデータ多重化回路と、
を備え、
前記データ処理回路は、
所定の周期にて処理開始要求信号を出力するタイマ回路と、
前記タイマ回路からの処理開始要求信号、又は、再取得要求信号を受け取った時点で、前記受信回路からパケットデータの取得を試み、
前記試みが成功した場合、前記パケットデータから符号化データを抽出し、
前記受信回路からパケットデータの取得の試みが失敗した場合に、取得不可の旨を示す信号を出力する符号化データ抽出回路と、
前記符号化データ抽出回路から受け取った信号が、前記取得不可の旨を示す信号である場合、送出先の端末にて誤り隠蔽処理を実行させるために、生成要求信号を出力し、
前記符号化データ抽出回路で抽出された符号化データを受け取り、かつ、直前に前記符号化データ抽出回路が生成要求信号を出力していない場合には、前記符号化データ抽出回路より受け取った符号化データを出力し、
前回の判定の結果、前記符号化データ抽出回路が前記生成要求信号を出力しており、今回、前記符号化データ抽出回路から受け取った符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記符号化データ抽出回路へ出力する第２の判定回路と、
前記第２の判定回路より前記符号化データだけを受け取った場合、前記符号化データを出力し、
前記第２の判定回路より生成要求信号を受け取った場合、符号化データを生成するように指示し、
前記第２の判定回路より廃棄要求信号を受け取った場合、前記第２の判定回路から受け取った符号化データを必要な分だけ削除し、残りの符号化データを出力する第２の選択回路と、
回線網側の送出先の端末で、誤り隠蔽処理を実行させるために必要な符号化データを生成する第２の符号化データ生成回路と、
を備え、
前記第２の選択回路及び前記第２の符号化データ生成回路から出力される符号化データは、前記データ多重化回路を介して、前記回線網に送出される、ことを特徴とするゲートウェイ装置。
【請求項１５】
前記パケット網からパケットデータを受信する受信回路と、
前記受信回路からパケットデータを受け取り符号化データを抽出して出力するデータ処理回路と、
前記データ処理回路の出力を多重化して回線網終端回路に出力するデータ多重化回路と、
を備え、
前記データ処理回路は、
所定の周期にて処理開始要求信号を出力するタイマ回路と、
前記タイマ回路からの処理開始要求信号、又は、再取得要求信号を受け取った時点で、前記受信回路からパケットデータの取得を試み、
前記試みが成功した場合、前記パケットデータから符号化データを抽出し、
前記受信回路からパケットデータの取得の試みが失敗した場合に、取得不可の旨を示す信号を出力する符号化データ抽出回路と、
前記符号化データ抽出回路から受け取った信号が、前記取得不可の旨を示す信号である場合、送出先の端末にて誤り隠蔽処理を実行させるために、生成要求信号を出力し、
前記符号化データ抽出回路で抽出された符号化データを受け取り、かつ、直前に前記符号化データ抽出回路が生成要求信号を出力していない場合には、前記符号化データ抽出回路より受け取った符号化データを出力し、
前回の判定の結果、前記符号化データ抽出回路が前記生成要求信号を出力しており、今回、前記符号化データ抽出回路から受け取った符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記符号化データ抽出回路へ出力する第２の判定回路と、
前記第２の判定回路より前記符号化データだけを受け取った場合、前記符号化データを出力し、
前記第２の判定回路より生成要求信号を受け取った場合、符号化データを生成するように指示し、
前記第２の判定回路より廃棄要求信号を受け取った場合、前記第２の判定回路から受け取った符号化データを必要な分だけ削除し、残りの符号化データを出力する第２の選択回路と、
回線網側の送出先の端末で、誤り隠蔽処理を実行させるために必要な符号化データを生成する第２の符号化データ生成回路と、
を備え、
前記第２の選択回路及び前記第２の符号化データ生成回路から出力される符号化データは、前記データ多重化回路を介して、前記回線網に送出される、ことを特徴とする請求項１３記載のゲートウェイ装置。
【請求項１６】
回線網とパケット網間を接続し、入力した符号化データを別の符号化方式で再符号化して出力するゲートウェイ装置において、
前記回線網からの多重化データを分離する多重化データ分離回路と、
前記多重化データ分離回路で分離された、第１の符号化方式の符号化データを処理し、第２の符号化方式のデータに再符号化して得られたデータをパケット化して出力するデータ処理回路と、
前記データ処理回路から出力されるパケットデータをパケット網に送信する送信回路と、
を備え、
前記データ処理回路は、
前記多重化データ分離回路から所定の周期毎に出力される符号化データを受け取って計数し、前記所定の周期あたりの符号化データの取得数と、前記多重化データ分離回路から前記周期あたり出力が期待される符号化データの数の期待値とを比較し、比較の結果、
前記符号化データの取得数と前記期待値が同数の場合、前記多重化データ分離回路より受けとった前記符号化データを出力し、
前記符号化データの取得数が前記期待値よりも少ない場合には、不足分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データとともに出力する第１の判定回路と、
前記第１の判定回路から出力される前記符号化データ、前記生成要求信号、前記廃棄要求信号の少なくとも１つを受け取り、前記符号化データのみを受け取った場合には、受け取った前記符号化データを出力し、
前記生成要求信号を受け取った場合には、不足分のデータを作成するように指示し、
前記廃棄要求信号を受け取った場合には、該廃棄要求信号の示す数分だけ、受け取った符号化データを廃棄し、残りの符号化データを出力する第１の選択回路と、
前記第１の選択回路より出力された符号化データを受け取って復号し復号データを出力する第１の復号回路と、
前記第１の選択回路からの指示に基づき、誤り隠蔽処理により、前記生成要求信号の示す分だけデータを出力する第１の誤り隠蔽処理回路と、
前記第１の復号回路からの復号データと、前記第１の誤り隠蔽処理回路からのデータとを入力として受け、入力したデータを第２の符号化方式で符号化した符号化データを出力する第１の符号化回路と、
前記第１の符号化回路によって第２の符号化方式で符号化された符号化データを受け取り、パケットデータに変換して前記送信回路へ出力するパケットデータ構築回路と、
を備えている、ことを特徴とするゲートウェイ装置。
【請求項１７】
回線網とパケット網間を接続し、入力した符号化データを別の符号化方式で再符号化して出力するゲートウェイ装置において、
前記パケット網からパケットデータを受信する受信回路と、
前記受信回路からパケットデータを受け取り第２の符号化方式で符号化された符号化データを抽出し、第１の符号化方式で再符号化して出力するデータ処理回路と、
前記データ処理回路の出力データを多重化して回線網終端回路に出力するデータ多重化回路と、
を備え、
前記データ処理回路が、
所定の周期にて処理開始要求信号を出力するタイマ回路と、
前記タイマ回路からの処理開始要求信号、あるいは入力される再取得要求信号を受け取った時点で、前記受信回路からパケットデータの取得を試み、
前記試みが成功した場合、前記パケットデータから、前記第２の符号化方式で符号化された符号化データを抽出し、
前記受信回路からパケットデータの取得の試みが失敗した場合、取得不可の旨を示す信号を出力する符号化データ抽出回路と、
前記符号化データ抽出回路から符号化データ又は取得不可の旨を示す信号を入力し、前記符号化データ抽出回路から受け取った信号が、取得不可の旨を示す信号である場合、回線網の送出先の端末にて誤り隠蔽処理を実行させるために生成要求信号を出力し、
前記符号化データ抽出回路から符号化データを受け取り、かつ、直前に前記符号化データ抽出回路が生成要求信号を出力していない場合には、前記符号化データ抽出回路から受け取った前記符号化データを出力し、
前回の判定の結果、前記符号化データ抽出回路が前記生成要求信号を出力しており、今回、前記符号化データ抽出回路から受け取った符号化データが、前記生成要求信号の出力タイミングで処理されるべき符号化データである場合には、前記符号化データと共に、前記符号化データを廃棄する旨を示す廃棄要求信号を出力し、さらに、再度、符号化データを要求するための、再取得要求信号を、前記符号化データ抽出回路へ出力する第２の判定回路と、
前記第２の判定回路から符号化データだけを受け取った場合、前記符号化データを出力し、
前記第２の判定回路より生成要求信号を受け取った場合、誤り隠蔽処理の実行を指示し、
前記第２の判定回路より廃棄要求信号を受け取った場合、前記第２の判定回路から受け取った符号化データを必要な分だけ削除し、残りの符号化データを出力する第２の選択回路と、
前記第２の選択回路からの指示に基づき、誤り隠蔽処理によりデータを出力する第２の誤り隠蔽処理回路と、
前記第２の選択回路から出力される符号化データを入力し、入力した前記符号化データを復号し復号データを出力する第２の復号回路と、
前記第２の復号回路からの復号データと、前記第２の誤り隠蔽処理回路からのデータとを入力として受け、前記入力したデータを、接続先の第１の符号化方式にしたがって符号化して得られた符号化データを出力する第２の符号化回路と、
を備え、
前記第２の符号化データ生成回路から出力される符号化データは、前記データ多重化回路を介して、前記回線網に送出される、ことを特徴とするゲートウェイ装置。
【請求項１８】
前記パケット網からパケットデータを受信する受信回路と、
前記受信回路からパケットデータを受け取り第２の符号化方式で符号化された符号化データを抽出し、第１の符号化方式で再符号化して出力するデータ処理回路と、
前記データ処理回路の出力データを多重化して回線網終端回路に出力するデータ多重化回路と、
を備え、
前記データ処理回路が、
所定の周期にて処理開始要求信号を出力するタイマ回路と、
前記タイマ回路からの処理開始要求信号、あるいは入力される再取得要求信号を受け取った時点で、前記受信回路からパケットデータの取得を試み、
前記試みが成功した場合、前記パケットデータから、前記第２の符号化方式で符号化された符号化データを抽出し、
前記受信回路からパケットデータの取得の試みが失敗した場合、取得不可の旨を示す信号を出力する符号化データ抽出回路と、
前記符号化データ抽出回路から符号化データ又は取得不可の旨を示す信号を入力し、前記符号化データ抽出回路から受け取った信号が、取得不可の旨を示す信号である場合、回線網の送出先の端末にて誤り隠蔽処理を実行させるために生成要求信号を出力し、
前記符号化データ抽出回路から符号化データを受け取り、かつ、直前に前記符号化データ抽出回路が生成要求信号を出力していない場合には、前記符号化データ抽出回路から受け取った前記符号化データを出力し、
前回の判定の結果、前記符号化データ抽出回路が前記生成要求信号を出力しており、今回、前記符号化データ抽出回路から受け取った符号化データが、前記生成要求信号の出力タイミングで処理されるべき符号化データである場合には、前記符号化データと共に、前記符号化データを廃棄する旨を示す廃棄要求信号を出力し、さらに、再度、符号化データを要求するための、再取得要求信号を、前記符号化データ抽出回路へ出力する第２の判定回路と、
前記第２の判定回路から符号化データだけを受け取った場合、前記符号化データを出力し、
前記第２の判定回路より生成要求信号を受け取った場合、誤り隠蔽処理の実行を指示し、
前記第２の判定回路より廃棄要求信号を受け取った場合、前記第２の判定回路から受け取った符号化データを必要な分だけ削除し、残りの符号化データを出力する第２の選択回路と、
前記第２の選択回路からの指示に基づき、誤り隠蔽処理によりデータを出力する第２の誤り隠蔽処理回路と、
前記第２の選択回路から出力される符号化データを入力し、入力した前記符号化データを復号し復号データを出力する第２の復号回路と、
前記第２の復号回路からの復号データと、前記第２の誤り隠蔽処理回路からのデータとを入力として受け、前記入力したデータを、接続先の第１の符号化方式にしたがって符号化して得られた符号化データを出力する第２の符号化回路と、
を備え、
前記第２の符号化データ生成回路から出力される符号化データは、前記データ多重化回路を介して、前記回線網に送出される、ことを特徴とする請求項１６記載のゲートウェイ装置。
【請求項１９】
前記多重化データ分離回路の処理を起動するための信号を周期的に出力するタイマ回路を前記データ処理回路外部に備えている、ことを特徴とする請求項１３又は１６記載のゲートウェイ装置。
【請求項２０】
前記データ多重化回路の処理を起動するための信号を周期的に出力するタイマ回路を前記データ処理回路外部に備えている、ことを特徴とする請求項１４、１５、１７のいずれか一に記載のゲートウェイ装置。
【請求項２１】
前記多重化データ分離回路の処理を起動するための信号と前記データ多重化回路の処理を起動するための信号を周期的に出力するタイマ回路を前記データ処理回路外部に備えている、ことを特徴とする請求項１５又は１８記載のゲートウェイ装置。
【請求項２２】
前記符号化データが、音声符号化データである、ことを特徴とする請求項２乃至２１のいずれか一に記載のゲートウェイ装置。
【請求項２３】
前記多重化データ分離回路が、多重化されたデータを、音声データと制御データ、又は、音声データと画像データと制御データに分離する、ことを特徴とする請求項８、１１、１３、１５、１８のいずれか一に記載のゲートウェイ装置。
【請求項２４】
前記データ多重化回路が、音声データと制御データ、又は、音声データと画像データと制御データに多重化する、ことを特徴とする請求項１４、１５、１７、１８のいずれか一に記載のゲートウェイ装置。
【請求項２５】
第１の通信網と第２の通信網との異種通信網間を接続するゲートウェイ装置による符号化データの処理方法において、
（ａ）前記ゲートウェイ装置が、前記第１の通信網及び前記第２の通信網の少なくとも一方の通信網からのデータが遅着または損失したか判定するステップと、
（ｂ）前記判定の結果、前記第１の通信網及び前記第２の通信網の少なくとも一方の通信網からのデータが遅着又は損失した場合に、前記ゲートウェイ装置は、送出先の端末にて誤り隠蔽処理を実行させるためのデータを生成するか、又は、取得した符号化データを廃棄するステップと、
を含む、ことを特徴とする、ゲートウェイ装置の符号化データの処理方法。
【請求項２６】
前記第１の通信網が回線網よりなり、
前記第２の通信網がパケット網よりなり、
（ａ１）前記ゲートウェイ装置が、前記回線網からの符号化データが遅着又は損失したか判定するステップと、
（ｂ１）前記判定の結果、前記回線網からの符号化データが遅着又は損失した場合に、前記ゲートウェイ装置は、送出先の端末にて誤り隠蔽処理を実行させるための符号化データを生成するか、又は、取得した符号化データを廃棄する制御を行うステップと、
を含む、ことを特徴とする請求項２５記載のゲートウェイ装置の符号化データの処理方法。
【請求項２７】
前記第１の通信網が回線網よりなり、
前記第２の通信網がパケット網よりなり、
（ａ２）前記ゲートウェイ装置が、前記パケット網からの符号化データが遅着または損失したか判定するステップと、
（ｂ２）前記判定の結果、前記パケット網からの符号化データが遅着又は損失した場合に、前記ゲートウェイ装置は、送出先の端末にて誤り隠蔽処理を実行させるための符号化データを生成するか、又は、遅着した符号化データを廃棄するステップと、
を含む、ことを特徴とする、請求項２５又は２６記載のゲートウェイ装置の符号化データの処理方法。
【請求項２８】
第１の通信網と第２の通信網との異種通信網間を接続するゲートウェイ装置による符号化データの処理方法において、
（ａ）前記ゲートウェイ装置が、前記第１の通信網及び第２の通信網の少なくとも一方の通信網からの符号化データが遅着又は損失したか判定するステップと、
（ｂ）前記判定の結果、前記第１の通信網及び第２の通信網の少なくとも一方の通信網からの符号化データが遅着又は損失した場合に、前記ゲートウェイ装置は、誤り隠蔽処理によりデータを生成するか、又は、取得した符号化データを廃棄する制御を行うステップと、
（ｃ）前記ゲートウェイ装置は、前記ステップ（ｂ）で処理された、前記少なくとも一方の通信網からの符号化データを復号し復号データを出力するステップと、
（ｄ）前記ゲートウェイ装置は、前記誤り隠蔽処理から得られるデータ、及び、前記復号データを、前記一方の通信網からの符号化データの符号化方式とは異なる符号化方式で符号化して出力するステップと、
を含む、ことを特徴とする、ゲートウェイ装置の符号化データの処理方法。
【請求項２９】
前記第１の通信網が回線網よりなり、
前記第２の通信網がパケット網よりなり、
（ａ１）前記ゲートウェイ装置が、前記回線網からの符号化データが遅着又は損失したか判定するステップと、
（ｂ１）前記判定の結果、前記回線網からの符号化データが遅着又は損失した場合に、前記ゲートウェイ装置は、誤り隠蔽処理にてデータを生成するか、又は、取得した符号化データを廃棄する制御を行うステップと、
（ｃ１）前記ゲートウェイ装置は、前記ステップ（ｂ１）で処理された、前記回線網からの符号化データを復号し復号データを出力するステップと、
（ｄ１）前記ゲートウェイ装置は、前記誤り隠蔽処理から得られるデータ、及び、前記復号データを、前記回線網からの符号化データの符号化方式とは異なる符号化方式で符号化して出力するステップと、
を含む、ことを特徴とする請求項２８記載のゲートウェイ装置の符号化データの処理方法。
【請求項３０】
前記第１の通信網が回線網よりなり、
前記第２の通信網がパケット網よりなり、
（ａ２）前記ゲートウェイ装置が、前記パケット網からの符号化データが遅着又は損失したか判定するステップと、
（ｂ２）前記判定の結果、前記回線網からの符号化データが遅着又は損失した場合に、前記ゲートウェイ装置は、誤り隠蔽処理にてデータを生成するか、又は、遅着した符号化データを廃棄する制御を行うステップと、
（ｃ２）前記ゲートウェイ装置は、前記ステップ（ｂ２）で処理された前記パケット網からの符号化データを復号し復号データを出力するステップと、
（ｄ２）前記ゲートウェイ装置は、前記誤り隠蔽処理から得られるデータ、及び、前記復号データを、前記パケット網からの符号化データの符号化方式とは異なる符号化方式で符号化して出力するステップと、
を含む、ことを特徴とする請求項２８又は２９記載のゲートウェイ装置の符号化データの処理方法。
【請求項３１】
前記ステップ（ａ１）が、前記回線網から、所定の周期あたり、実際に取得した符号化データと、前記周期あたり取得が期待される符号化データの数に関して予め算出された期待値と、を比較し、前記比較結果に基づき、前記回線網からの符号化データが遅着又は損失したか判定する、ことを特徴とする請求項２６又は２９記載のゲートウェイ装置の符号化データの処理方法。
【請求項３２】
前記ステップ（ａ１）が、
（ａ１１）前記回線網から受信した多重化データを分離する多重化データ分離回路より出力される符号化データを受け取って計数し、所定の周期あたりの符号化データの取得数と、前記多重化データ分離回路から前記周期あたり出力が期待される符号化データの数の期待値とを比較するステップと、
（ａ１２）比較の結果、前記符号化データの取得数と前記期待値とが同数の場合には、前記多重化データ分離回路より受け取った前記符号化データを出力し、
前記符号化データの取得数が前記期待値よりも少ない場合には、不足分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データととも出力するステップと、
を含み、
前記ステップ（ｂ１）が、
（ｂ１１）前記ステップ（ａ１２）から出力される、前記符号化データ、又は、前記生成要求信号、又は、前記廃棄要求信号を受け取り、
前記符号化データのみを受け取った場合には、受け取った前記符号化データを出力し、
前記生成要求信号を受け取った場合には、不足分のデータを作成するように指示し、
前記廃棄要求信号を受け取った場合には、該廃棄要求信号の示す数分だけ、受け取った符号化データを廃棄し、残りの符号化データを出力するステップと、
（ｂ１２）前記不足分のデータを作成する指示を受けて、送出先の端末にて誤り隠蔽処理を実行させるための符号化データを生成するステップと、
を含む、ことを特徴とする請求項２６記載のゲートウェイ装置の符号化データの処理方法。
【請求項３３】
前記ステップ（ａ２）が、所定の周期毎に、パケット網からのパケットデータが受信回路より取得可能か否か調べ、前記受信回路よりパケットデータが得られた場合、前記パケットデータから符号化データを抽出し、前記パケットデータが取得不可の場合、符号化データの遅着又は損失と判定する、ことを特徴とする請求項２７又は３０記載のゲートウェイ装置の符号化データの処理方法。
【請求項３４】
前記ステップ（ａ２）が、
（ａ２１）所定の周期にて処理開始要求信号を出力するタイマ回路からの処理開始要求信号、又は、再取得要求信号を受け取った時点で、前記パケット網からパケットデータを受信する受信回路からパケットデータの取得を試み、
前記試みが成功した場合、前記パケットデータから符号化データを抽出し、前記受信回路からパケットデータの取得の試みが失敗した場合に、取得不可の旨を示す信号を出力する、符号化データ抽出処理を実行するステップと、
（ａ２２）前記ステップ（ａ２１）からの出力が前記取得不可の旨を示す信号である場合、送出先の端末にて誤り隠蔽処理を実行させるために生成要求信号を出力し、
前記ステップ（ａ２１）で出力された符号化データを受け取り、かつ直前に、前記生成要求信号を出力していない場合には、前記ステップ（ａ２１）で出力された符号化データを出力し、
前回の判定の結果、前記ステップ（ａ２１）ですでに生成要求信号を出力しており、今回、前記ステップ（ａ２１）で出力された符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記ステップ（ａ２１）の符号化データ抽出処理へ出力するステップと、
を含み、
前記ステップ（ｂ２）が、
（ｂ２１）前記ステップ（ａ２２）より、前記生成要求信号が出力された場合、誤り隠蔽処理の実行を指示し、前記ステップ（ａ２２）より、廃棄要求信号が出力された場合、前記ステップ（ａ２２）で出力された符号化データを必要な分だけ削除し、残りの符号化データを出力するステップと、
（ｂ２２）回線網側の送出先の端末で誤り隠蔽処理を実行させるために必要な符号化データを生成するステップと、
を含む、ことを特徴とする請求項２７記載のゲートウェイ装置の符号化データの処理方法。
【請求項３５】
前記ステップ（ａ１）が、
（ａ１１）前記回線網から受信した多重化データを分離する多重化データ分離回路より出力される符号化データを受け取って計数し、所定の周期あたりの符号化データの取得数と、前記多重化データ分離回路から前記周期あたり出力が期待される符号化データの数の期待値とを比較するステップと、
（ａ１２）比較の結果、前記符号化データの取得数と前記期待値とが同数の場合には、前記多重化データ分離回路より受け取った前記符号化データを出力し、
前記符号化データの取得数が前記期待値よりも少ない場合には、不足分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データととも出力するステップと、
を含み、
前記ステップ（ｂ１）が、
（ｂ１１）前記ステップ（ａ１２）から出力される、前記符号化データ、又は、前記生成要求信号、又は、前記廃棄要求信号を受け取り、
前記符号化データのみを受け取った場合には、受け取った前記符号化データを出力し、
前記生成要求信号を受け取った場合には、不足分のデータを作成するように指示し、
前記廃棄要求信号を受け取った場合には、該廃棄要求信号の示す数分だけ、受け取った符号化データを廃棄し、残りの符号化データを出力するステップと、
（ｂ１２）前記ステップ（ｂ１１）から前記不足分のデータを作成する指示が出力された場合、誤り隠蔽処理によりデータを生成するステップと、
（ｂ１３）前記ステップ（ｂ１１）から出力される符号化データを復号し復号データを出力するステップと、
（ｂ１４）前記復号データと、前記誤り隠蔽処理から得られるデータとを受け、前記回線網から受け取った前記符号化データの符号化方式とは別のパケット網側の符号化方式で符号化した符号化データを生成するステップと、
を含む、ことを特徴とする請求項２９記載のゲートウェイ装置の符号化データの処理方法。
【請求項３６】
前記ステップ（ａ２）が、
（ａ２１）所定の周期にて処理開始要求信号を出力するタイマ回路からの処理開始要求信号、又は、再取得要求信号を受け取った時点で、前記パケット網からパケットデータを受信する受信回路からパケットデータの取得を試み、
前記試みが成功した場合、前記パケットデータから符号化データを抽出し、前記受信回路からパケットデータの取得の試みが失敗した場合に、取得不可の旨を示す信号を出力する、符号化データ抽出処理を実行するステップと、
（ａ２２）前記ステップ（ａ２１）からの出力が前記取得不可の旨を示す信号である場合、誤り隠蔽処理を行うために生成要求信号を出力し、
前記ステップ（ａ２１）で出力された符号化データを受け取り、かつ直前に、前記生成要求信号を出力していない場合には、前記ステップ（ａ２１）で出力された符号化データを出力し、
前回の判定の結果、前記ステップ（ａ２１）ですでに生成要求信号を出力しており、今回、前記ステップ（ａ２１）で出力された符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記ステップ（ａ２１）の符号化データ抽出処理へ出力するステップと、
を含み、
前記ステップ（ｂ２）が、
（ｂ２１）前記ステップ（ａ２２）より、前記生成要求信号が出力された場合、誤り隠蔽処理の実行を指示し、前記第２の判定回路より廃棄要求信号が出力された場合、前記第２の判定回路から受け取った符号化データを必要な分だけ削除し、残りの符号化データを出力するステップと、
（ｂ２２）前記ステップ（ｂ２１）から出力される符号化データを復号し、復号データを出力するステップと、
（ｂ２３）誤り隠蔽処理によりデータを生成するステップと、
（ｂ２４）前記復号データと、前記誤り隠蔽処理から得られるデータとを受け、前記パケット網から受信した符号化データの符号化方式とは異なる回線網側の符号化方式で符号化し符号化データを出力するステップと、
を含む、ことを特徴とする請求項３０記載のゲートウェイ装置の符号化データの処理方法。
【請求項３７】
回線網とパケット網間を接続するゲートウェイ装置における符号化データの処理方法において、
前記回線網からの多重化データを分離する多重化データ分離回路から出力されたデータを受け取って処理し、パケットデータを送信回路を介して、前記パケット網に出力するデータ処理回路が、
（Ａ１）前記多重化データ分離回路から出力される符号化データを受け取って計数し、所定の周期あたりの符号化データの取得数と、前記多重化データ分離回路から前記周期あたり出力が期待される符号化データの数の期待値とを比較するステップと、
（Ａ２）前記比較の結果、前記符号化データの取得数と前記期待値が同数の場合、前記多重化データ分離回路より受けとった前記符号化データを出力し、
前記符号化データの取得数が前記期待値よりも少ない場合には、不足分のデータを生成させるための生成要求信号を、取得した前記符号化データとともに出力し、
前記符号化データの取得数が前記期待値よりも多い場合には、過剰分の符号化データを廃棄するための廃棄要求信号を、取得した前記符号化データとともに出力する、ステップと、
（Ａ３）前記ステップ（Ａ２）の判定の結果、前記符号化データのみが出力された場合には、前記符号化データをそのまま出力し、
前記生成要求信号が出力された場合には、不足分のデータを作成するように指示し、
前記廃棄要求信号を受け取った場合には、該廃棄要求信号の示す数分だけ、受け取った符号化データを廃棄し、残りの符号化データを出力するステップと、
（Ａ４）前記ステップ（Ａ３）により、不足分のデータを作成する指示が出力された場合、送出先の端末にて誤り隠蔽処理を実行させるための符号化データを生成するステップと、
（Ａ５）前記ステップ（Ａ３）により出力された符号化データ、又は、前記ステップ（Ａ４）により出力された誤り隠蔽処理用の符号化データを、パケットデータ形式に変換し前記送信回路に出力するステップと、
を含む、ことを特徴とする、ゲートウェイ装置の符号化データ処理方法。
【請求項３８】
回線網とパケット網間を接続するゲートウェイ装置における符号化データの処理方法において、
前記パケット網からパケットデータを受信する受信回路からパケットデータを受け取り、符号化データを抽出し、データ多重化回路を介して前記回線網に出力するデータ処理回路が、
（Ｂ１）タイマから所定の周期にて出力される処理開始要求信号、又は、再取得要求信号を受け取った時点で、前記受信回路からパケットデータの取得を試み、前記試みが成功した場合、前記パケットデータから、符号化データを抽出し、前記受信回路からパケットデータの取得の試みが失敗した場合、取得不可の旨を示す信号を出力する符号化データ抽出処理を行うステップと、
（Ｂ２）前記ステップ（Ｂ１）の前記符号化データ抽出処理から取得不可の旨を示す信号が出力された場合、回線網先の端末にて誤り隠蔽処理を実行させるために、生成要求信号を出力し、前記符号化データ抽出処理から符号化データが出力され、かつ直前に、前記符号化データ抽出処理が生成要求信号を出力していない場合には、前記符号化データ抽出処理から受け取った符号化データを出力し、今回の判定の直前の判定の結果、前記生成要求信号を出力しており、今回、前記符号化データ抽出処理から出力された符号化データが、前記生成要求信号の出力タイミングで処理されるべき符号化データである場合、前記符号化データと共に、前記符号化データを廃棄する旨を示す廃棄要求信号を出力し、さらに、再度、符号化データを要求するための、再取得要求信号を、前記符号化データ抽出処理へ出力するステップと、
（Ｂ３）前記ステップ（Ｂ２）より、符号化データだけが出力された場合、該符号化データを出力し、
前記ステップ（Ｂ２）より、生成要求信号が出力された場合、符号化データ生成処理の実行を指示し、
前記ステップ（Ｂ２）より、廃棄要求信号が出力された場合、前記符号化データを必要な分だけ削除し、残りの符号化データを出力する選択ステップと、
（Ｂ４）回線網側の送出先の端末で、誤り隠蔽処理を実行させるために必要な符号化データを生成するステップと、
（Ｂ５）前記ステップ（Ｂ３）から出力される符号化データ、又は、前記ステップ（Ｂ４）から出力される符号化データを、前記データ多重化回路を介して、前記回線網に送出するステップと、
を含む、ことを特徴とするゲートウェイ装置の符号化データ処理方法。
【請求項３９】
回線網とパケット網間を接続し、入力した符号化データを別の符号化方式で再符号化して出力するゲートウェイ装置の符号化データ処理方法において、
前記多重化データ分離回路で分離された、第１の符号化方式の符号化データを処理し、第２の符号化方式のデータに再符号化して得られたデータをパケット化し送信回路を介して前記パケット網に出力するデータ処理回路が、
（Ａ１）前記多重化データ分離回路から出力される符号化データを受け取って計数し、所定の周期あたりの符号化データの取得数と、前記多重化データ分離回路から前記周期あたり出力が期待される符号化データの数の期待値とを比較するステップと、
（Ａ２）比較の結果、前記符号化データの取得数と前記期待値が同数の場合、前記多重化データ分離回路より受けとった前記符号化データを出力し、
前記符号化データの取得数が前記期待値よりも少ない場合には、不足分のデータを生成させるための生成要求信号を出力し、
前記符号化データの取得数が前記期待値よりも多い場合には、過剰分の符号化データを廃棄するための廃棄要求信号を出力するステップと、
（Ａ３）前記ステップ（Ａ２）より、前記符号化データのみが出力された場合には、前記符号化データを出力し、
前記ステップ（Ａ２）より、前記生成要求信号が出力された場合には、不足分のデータを作成するように指示し、
前記ステップ（Ａ２）より、前記廃棄要求信号が出力された場合には、該廃棄要求信号の示す数分だけ、受け取った符号化データを廃棄し、残りの符号化データを出力するステップと、
（Ａ４）前記ステップ（Ａ３）より出力された符号化データを復号し復号データを出力する復号ステップと、
（Ａ５）前記ステップ（Ａ３）より出力された指示に基づき、誤り隠蔽処理により、前記生成要求信号の示す分だけデータを出力するステップと、
（Ａ６）前記ステップ（Ａ４）で生成された復号データ、又は、前記ステップ（Ａ５）で生成されたデータを、第２の符号化方式で符号化し符号化データを出力するステップと、
（Ａ７）前記第２の符号化方式で符号化されたデータをパケットデータに変換して、前記送信回路に出力するステップと、
を含む、ことを特徴とするゲートウェイ装置の符号化データ処理方法。
【請求項４０】
回線網とパケット網間を接続し、入力した符号化データを別の符号化方式で再符号化して出力するゲートウェイ装置の符号化データ処理方法において、
前記パケット網からパケットデータを受信する受信回路からパケットデータを受け取り第２の符号化方式で符号化された符号化データを抽出し、第１の符号化方式で再符号化し、データ多重化回路を介して前記回線網に出力するデータ処理回路が、
（Ｂ１）タイマ回路からの処理開始要求信号、あるいは入力される再取得要求信号を受け取った時点で、前記受信回路からパケットデータの取得を試み、前記試みが成功した場合、前記パケットデータから、前記第２の符号化方式で符号化された符号化データを抽出し、前記受信回路からパケットデータの取得の試みが失敗した場合、取得不可の旨を示す信号を出力する、符号化データ抽出処理を行うステップと、
（Ｂ２）前記ステップ（Ｂ１）の前記符号化データ抽出処理から取得不可の旨を示す信号が出力された場合、回線網の送出先の端末にて誤り隠蔽処理を実行させるために生成要求信号を出力し、
前記符号化データ抽出処理から出力された符号化データを受け取り、かつ直前に、前記符号化データ抽出処理が生成要求信号を出力していない場合には、前記符号化データ抽出処理から受け取った符号化データを出力し、
前回の判定の結果、前記符号化データ抽出処理が前記生成要求信号を出力しており、今回、前記符号化データ抽出処理から受け取った符号化データが、前記生成要求信号の出力タイミングで処理されるべき符号化データである場合、前記符号化データと共に、前記符号化データを廃棄する旨を示す廃棄要求信号を出力し、さらに、再度、符号化データを要求するための、再取得要求信号を、前記符号化データ抽出処理へ出力するステップと、
（Ｂ３）前記ステップ（Ｂ２）より、符号化データだけが出力された場合、前記符号化データを出力し、
前記ステップ（Ｂ２）より、生成要求信号が出力された場合、誤り隠蔽処理の実行を指示し、
前記ステップ（Ｂ２）より、廃棄要求信号が出力された場合、前記符号化データを必要な分だけ削除し、残りの符号化データを出力するステップと、
（Ｂ４）前記ステップ（Ｂ３）からの指示に基づき、誤り隠蔽処理によりデータを出力するステップと、
（Ｂ５）前記ステップ（Ｂ３）から出力される符号化データを復号し復号データを出力するステップと、
（Ｂ６）前記ステップ（Ｂ５）からの復号データ、又は、前記ステップ（Ｂ４）の前記誤り隠蔽処理により得られたデータを、送信先側の第１の符号化方式にしたがって符号化し、得られた符号化データを出力する第２の符号化ステップと、
（Ｂ７）前記第１の符号化方式の符号化データを、前記データ多重化回路を介して前記回線網に送出するステップと、
を含む、ことを特徴とするゲートウェイ装置の符号化データ処理方法。
【請求項４１】
回線網とパケット網との異種通信網間を接続するゲートウェイ方式の、前記回線網と前記パケット網の少なくとも一方の通信網から他方の通信網方向の符号化データの処理方法において、
前記回線網と前記パケット網の少なくとも一方の通信網からの符号化データが遅着又は損失した場合には、他方の通信網の送出先の端末にて誤り隠蔽処理を実行させるためのデータの生成処理を行うか、又は、取得した符号化データの廃棄処理を行い、前記符号化データの送出を行う、ことを特徴とする符号化データの処理方法。
【請求項４２】
回線網とパケット網の接続を行うゲートウェイ装置であって、
回線網から所定の周期あたり実際に取得された符号化データの数と、前記周期あたり取得が期待される符号化データの数の期待値との比較を行い、前記比較の結果、前記実際に取得した符号化データの数が前記期待値を下回った場合、符号化データを生成し、前記実際に取得した符号化データの数が前記期待値を上回った場合、取得した符号化データの過剰分の廃棄処理を行うことで、前記周期における期待値数分の符号化データをパケット化し、前記周期毎での前記パケット網へのパケットデータを送出数を一定数に保つように制御する制御部を備えている、ことを特徴とするゲートウェイ装置。
【請求項４３】
前記実際に取得した符号化データの数が前記期待値を下回った場合に生成される前記符号化データは、送出先の端末に誤り隠蔽処理を実行させるものである、ことを特徴とする請求項４２記載のゲートウェイ装置。
【請求項４４】
前記符号化データを復号したのち再符号化して得られた符号化データを前記パケット網に出力する、ことを特徴とする請求項４２又は４３記載のゲートウェイ装置。
【請求項４５】
パケット網と回線網の接続を行うゲートウェイ装置であって、
所定の周期で前記パケット網からパケットが受信できず遅着パケットが発生した場合、受信したパケットデータから符号化データを抽出するにあたり、データの取得不可の旨を示す信号を出力する符号化データ抽出部と、
前記符号化データ抽出部からの出力に基づき、符号化データを生成するか、あるいは廃棄処理を行って、前記回線網に符号化データを出力するように制御する制御部と、
を備えている、ことを特徴とするゲートウェイ装置。
【請求項４６】
前記符号化データ抽出部からの出力に基づき生成される前記符号化データは、送出先の端末に誤り隠蔽処理を実行させるものである、ことを特徴とする請求項４５記載のゲートウェイ装置。
【請求項４７】
前記符号化データを復号したのち再符号化して得られた符号化データを前記回線網に出力する、ことを特徴とする請求項４５又は４６記載のゲートウェイ装置。
【発明の詳細な説明】
【技術分野】
【０００１】  本発明は、符号化データの処理方法及びその装置に関し、特に回線網とＩＰ網などのパケット網間での通信に代表されるような異種通信網間を接続するゲートウェイ装置の符号化データの処理に用いて好適な方法と装置に関する。
【背景技術】
【０００２】  回線網とＩＰ（Ｉｎｔｅｒｎｅｔ  Ｐｒｏｔｏｃｏｌ）網などのパケット網間を接続して双方向通信を行おうとした場合、一方の通信網のデータ形式に基づいた制御情報・画像符号化情報・音声符号化情報等の各種データを他方の通信網のデータ形式に変換するゲートウェイ装置を設けることで実現される。その際に、各種情報を含むデータは、ゲートウェイ装置において、プロトコルのみの変換処理、あるいは、必要であれば、異なる符号化方式での接続を可能とするために、トランスコーダ処理が行われる。その中でも、特に、音声符号化データに関しては、音声品質の維持の他に、短い遅延での通信を維持できるような処理方法が要求される。【０００３】  図１１は、従来のゲートウェイ装置の典型的な構成の一例を示す図である。図１１を参照すると、回線網からパケット網方向について、回線網を終端する回線網終端回路１００から、制御情報・画像符号化情報と共に音声符号化情報を含むデータが、ある固定のデータ長で多重化され、一定の周期で多重化データ分離回路２００へと供給される。多重化データ分離回路２００は、第１のタイマ回路１０００にて管理される一定の周期にしたがって処理を行う回路であり、第１のタイマ回路１０００から出力される処理開始要求信号を受け取ると、回線網からの多重化データを、制御データ、画像データ、音声データのそれぞれに分離するための識別子であるユニークワードの検出処理を行い、検出されたユニークワードを基に、多重化データ分離処理を行う。多重化データ分離回路２００で分離処理された制御データ、画像符号化データ、音声符号化データの各データは、それぞれ、対応する制御データ処理回路３００、画像データ処理回路４００、音声データ処理回路５００へと供給される。データ処理回路３００、４００、５００は、個々の種別に応じたデータ処理を行い、得られた各データを、対応するパケット網終端回路６００、７００、８００へそれぞれ出力する。パケット網終端回路６００、７００、８００は、データ処理回路３００、４００、５００からそれぞれ受け取ったデータをパケットデータとしてパケット網へそれぞれ出力する。【０００４】  一方、パケット網から回線網方向について、制御情報、画像符号化情報、音声符号化情報を含むそれぞれのパケットは、対応するパケット網終端回路６００、７００、８００にて受信され、制御データは、制御データ処理回路３００へ、画像符号化データは画像データ処理回路４００へ、音声符号化データは音声データ処理回路５００へとそれぞれ出力される。データ処理回路３００、４００、５００は、回線網からパケット網方向とは逆に変換する処理を行い、得られた各データを出力する。データ多重化回路９００は、第１のタイマ回路１０００にて管理される一定の周期にしたがって処理を行う回路であり、第１のタイマ回路１０００から出力される処理開始要求信号を受け取ると、データ処理回路３００、４００、５００より出力される各データを多重化して回線網終端回路１００へ出力する。回線網終端回路１００は、データ多重化回路９００より取得した多重化データを回線網へ送出する。【０００５】  図１２は、図１１の音声データ処理回路５００とパケット網音声デー��終端回路８００の典型的な構成の一例を示す図である。図１２を参照すると、回線網からパケット網方向について、音声データ処理回路５００は、多重化データ分離回路２００から出力された音声符号化データを、パケットデータ構築回路５０１にて、パケットデータ形式へプロトコル変換し、パケットデータ構築回路５０１は、得られた音声パケットデータを、パケット網音声データ終端回路８００内の送信回路８０１へ出力する。送信回路８０１は、パケットデータをパケット網へ送出する。【０００６】  一方、パケット網から回線網方向について、音声パケットは、パケット網音声データ終端回路８００の受信回路８０２で受信され、受信回路８０２内のバッファ（不図示）に格納される。音声データ処理回路５００において、第２のタイマ回路５１１は、一定の周期で符号化データ抽出回路５１２へ処理開始要求を出力する回路であり、符号化データ抽出回路５１２は、第２のタイマ回路５１１から処理開始要求を受け取った時点で、受信回路８０２から音声データを取得し、音声符号化データを抽出し、抽出した音声符号化データをデータ多重化回路９００へ出力する。【０００７】  なお、異種通信網間を接続するゲートウェイ装置として、従来より、各種構成が知られている。例えば交換機インタフェース部とパケット制御部を備え、電話交換機を介して電話機と接続されＩＰ網に接続され音声通信を行う音声ゲートウェイ装置が知られている（例えば後記特許文献１参照）。【０００８】  また、動画像の符号化・復号化における誤り隠蔽技術として、符号器側で送信した画像を伝送中に誤りが発生した場合に、復号器側で正常復号できなくなったブロックの画像データを、正常復号できたブロックの画像データに置き換えることにより、画質劣化を目立たなくする誤り隠蔽技術において、フレーム相関性を考慮した効率のよい誤り隠蔽制御を行って画質の向上を図る技術等も知られている（例えば後記特許文献２参照）。【０００９】  また、遅延ゆらぎ吸収技術についても、従来より、各種構成が知られている。例えば、送信間隔に比べて受信間隔が短くなった場合に、再生待ち合わせ制御の基準となるパケットをダイナミックに変更する動作を実行することにより、伝播遅延揺らぎを吸収しつつ、受信パケットを再生処理に送り出すまでの時間を短縮するようにした音声パケットの遅延ゆらぎ吸収装置の構成も知られている（例えば後記特許文献３参照）。また、電話網と接続する電話網側回線インタフェース回路、ＩＰ網と接続するＩＰ網側インタフェース回路、音声パケット処理回路を備え、メディア変換制御装置に接続されるメディア変換装置において同一装置内に収容されている端末間の接続時にメディアを変換せずに接続を行うことで音声劣化、伝送遅延を低減させる構成も知られている（例えば後記特許文献４参照）。【００１０】  さらに、ネットワークから到来するパケットが遅延した場合に符号化データを生成する受信装置として、ネットワークから到来する音声パケットが遅延し、出力しようとする原音声データが組み立てられない場合、この遅延音声パケットが到来するまで組み立てられない連続データ部分に、空き時間防止用の符号化音声データを挿入するデータ挿入手段と、データ���入手段が空き時間防止用の符号化音声データを挿入した場合、組み立てた原音声データのうち、所定の不連続な位置にある複数の微小データ部分を、データ挿入手段で挿入した符号化音声データに相当する時間分廃棄するデータ廃棄手段を備えた受信装置が知られている（例えば後記特許文献５参照）。後記特許文献５には、アンダーランが生じた場合、吸収できない遅延パケットは廃棄され、遅延パケットデータのかわりに、代替の音声データが書き込まれ、廃棄された音声データが圧縮符号化データである場合、廃棄される音声データ量が多くなり、音声品質が劣化するという問題点を解消し、音声品質劣化の少ない音声パケット受信装置として、ネットワークから到来するパケットをＰＣＭ（Ｐｕｌｓｅ  Ｃｏｄｅ  Ｍｏｄｕｌａｔｉｏｎ）データに復号しＰＣＭデータを所定の伝送速度で出力する音声パケット受信装置において、リアルタイム性を損なわない程度にパケットの到着時刻の差を吸収する符号化データバッファと、復号化したＰＣＭデータを廃棄しても音声品質に影響を及ぼさない無音に近い音声レベルであるか否か比較するＰＣＭレベル比較器と、代替符号化データを挿入した場合、ＰＣＭレベル比較器での比較結果に基づき、無音に近いレベルのＰＭＣデータを、挿入した代替符号化データを復号化したデータ量分、所定の間隔で離散的に間引くための間引きカウンタ制御部を備えている。【００１１】
【特許文献１】特開２００２−２９０５５０号公報（第４頁、第１図）
【特許文献２】特開２００２−７７９２２号公報（第３頁、第１図）
【特許文献３】特開２００２−１８５４９８公報号（第４−５頁、第１図）
【特許文献４】特開２００１−３２６７２４号公報（第４−５頁、第１図）
【特許文献５】特開２０００−１２４９４７号公報（第２−３頁、第１図）
【発明の開示】
【発明が解決しようとする課題】
【００１２】  ところで、図１１、図１２を参照して説明した従来のゲートウェイ装置では、回線網から音声符号化データだけでなく、制御データ、あるいは画像符号化データと多重化されたデータの形式で入力される場合が想定されている。このため、いくつかの状況で、著しい品質の劣化、あるいは音声遅延の増加を招く場合がある、という問題がある。以下説明する。【００１３】  例えば、回線網側の端末から、ゲートウェイ装置へと続く伝送路上で、多重化データ中の、特に、ユニークワードに誤りが挿入されてしまった場合、図１１の多重化データ分離回路２００の処理においてユニークワードを検出することができず、この結果、多重化データ分離回路２００では、回線網より受信した多重化データから適切に音声符号化データを取り出せなくなる。この場合、多重化データ分離回路２００で分離されたデータを受け取る音声データ処理回路５００では、所望の音声符号化データを取得することができないことになり、その時点で、他側の通信網（すなわちパケット網）へ音声符号化データを送出することができなくなる。この結果、音声パケットのパケット網への送出は、本来送出されるべきタイミングから遅れることになる。この場合、パケット網内での遅延ゆらぎも相俟って、送出先のパケット網側の端末（不図示）では、十分に、遅延ゆらぎを吸収することができず、音の途切れ等が生じ、音質の劣化を招くことになる。【００１４】  一方、パケット網から回線網方向について、前記特許文献３、５等のように、パケット網の遅延ゆらぎを吸収するため、例えば図１２の受信回路８０２内、あるいは受信回路８０２とデータ処理回路５００の間に、遅延ゆらぎを吸収するためのゆらぎ吸収用のバッファを設けた場合、このバッファは、両通信網の端末間における音声の遅延を増加させることになる。【００１５】  したがって、本発明の目的は、異種通信網間を接続するゲートウェイにおいて、信号品質の劣化を最小限に抑えながら、例えば音声通話としての短い遅延の維持を可能たらしめる方法及びその装置を提供することにある。
【課題を解決するための手段】
【００１６】  上記目的を達成する本発明は、第１の通信網と第２の通信網との異種通信網間を接続するゲートウェイ方式の、前記第１の通信網及び前記第２の通信網の少なくとも一方の通信網から他方の通信網方向の符号化データの処理において、前記第１の通信網及び前記第２の通信網の少なくとも一方の通信網からの符号化データが遅着又は損失した場合には、必要に応じて、他方の通信網の送出先の端末にて誤り隠蔽処理を実行させるためのデータの生成処理、又は、取得した符号化データの廃棄処理を行い、符号化データの送出を実現するものである。第１の通信網を回線網、第２の通信網をパケット網とした本発明の１つのアスペクトに係るゲートウェイ装置は、回線網とパケット網との異種通信網間を接続し、前記回線網からの符号化データが遅着又は損失したか判定する第１の判定手段と、前記判定の結果、前記回線網からの符号化データが遅着又は損失した場合に、前記パケット網側の接続先の端末にて誤り隠蔽処理を実行させるための符号化データを生成するか、取得した符号化データを廃棄する制御を行う第１の制御手段と、を含む。【００１７】  本発明の他のアスペクトに係るゲートウェイ装置は、前記パケット網からの符号化データが遅着又は損失したか判定する第２の判定手段と、前記判定の結果、前記回線網からの符号化データが遅着又は損失した場合に、前記回線網側の接続先の端末にて誤り隠蔽処理を実行させるための符号化データを生成するか、遅着した符号化データを廃棄する制御を行う第２の制御手段と、を含む。【００１８】  本発明のさらに他のアスペクトに係るゲートウェイ装置は、前記回線網からの符号化データが遅着又は損失したか判定する第１の判定手段と、前記判定の結果、前記回線網からの符号化データが遅着又は損失した場合に、誤り隠蔽処理にてデータを生成するか、又は、取得した符号化データを廃棄する制御を行う第１の制御手段と、前記第１の制御手段で処理された、前記回線網からの符号化データを復号して復号データを出力する第１の復号手段と、前記第１の制御手段の前記誤り隠蔽処理から得られるデータ、及び、前記第１の復号手段からの前記復号データを、前記回線網からの符号化データの符号化方式とは異なる符号化方式で符号化して出力する第１の符号化手段と、を備えた構成としてもよい。【００１９】  本発明のさらに他のアスペクトに係るゲートウェイ装置は、前記パケット網からの符号化データが遅着又は損失したか判定する第２の判定手段と、前記判定の結果、前記回線網からの符号化データが遅着又は損失した場合に、誤り隠蔽処理にて生成するか、又は、遅着した符号化データを廃棄する制御を行う第２の制御手段と、前記第２の制御手段で処理された前記パケット網からの符号化データを復号し復号データを出力する第２の復号手段と、前記第２の制御手段で生成されたデータ、及び、前記第２の復号手段からの前記復号データを、前記パケット網からの符号化データの符号化方式とは異なる符号化方式で符号化して出力する第２の符号化手段と、を備えた構成としてもよい。【００２０】  本発明によれば、好ましくは、前記第１の判定手段は、前記回線網から、所定の周期あたり、実際に取得した符号化データと、前記周期��たり取得が期待される符号化データの数に関して予め算出された期待値とを比較し、前記比較結果に基づき、前記回線網からの符号化データが遅着又は損失したか判定する。【００２１】  本発明によれば、好ましくは、前記第１の判定手段は、前記回線網から受信した多重化データを分離する多重化データ分離回路より出力される符号化データを受け取って計数し、所定の周期あたりの符号化データの取得数と、前記多重化データ分離回路から前記周期あたり出力が期待される符号化データの数の期待値とを比較し、比較の結果、
前記符号化データの取得数と前記期待値とが同数の場合には、前記多重化データ分離回路より受け取った前記符号化データを出力し、
前記符号化データの取得数が前記期待値よりも少ない場合には、不足分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データととも出力する第１の判定回路を備えている。【００２２】  本発明によれば、好ましくは、前記第１の制御手段は、前記第１の判定回路から出力される、前記符号化データ、前記生成要求信号、前記廃棄要求信号のうちの少なくとも１つを受け取り、
前記第１の判定回路から前記符号化データのみを受け取った場合には、受け取った前記符号化データを出力し、
前記生成要求信号を受け取った場合には、不足分のデータを作成するように指示し、
前記廃棄要求信号を受け取った場合には、受け取った符号化データのうち前記廃棄要求信号の示す過剰分廃棄し、残りの符号化データを出力する第１の選択回路と、
前記第１の選択回路からの指示を受けて、接続先の端末にて誤り隠蔽処理を実行させるための符号化データを生成する第１の符号化データ生成回路と、
を備えている。【００２３】  本発明によれば、好ましくは、前記第２の判定手段は、所定の周期毎に、前記パケット網からのパケットデータが受信回路より取得可能か否か調べ、前記パケットデータが前記受信回路より得られた場合、前記パケットデータから符号化データを抽出し、前記パケットデータが取得不可の場合、符号化データの遅着又は損失と判定する。【００２４】  本発明によれば、好ましくは、前記第２の判定手段は、所定の周期にて処理開始要求信号を出力するタイマ回路と、
前記タイマ回路からの処理開始要求信号、又は、再取得要求信号を受け取った時点で、前記パケット網からパケットデータを受信する受信回路からパケットデータの取得を試み、
前記試みが成功した場合には、前記パケットデータから符号化データを抽出し、前記受信回路からパケットデータの取得の試みが失敗した場合には、取得不可の旨を示す信号を出力する符号化データ抽出回路と、
前記符号化データ抽出回路から受け取った信号が、前記取得不可の旨を示す信号である場合、送付先の端末にて誤り隠蔽処理を実行させるために、生成要求信号を出力し、
前記符号化データ抽出回路で抽出された符号化データを受け取り、かつ直前に、前記符号化データ抽出回路が生成要求信号を出力していない場合には、前記符号化データ抽出回路から受け取った符号化データを出力し、
前回の判定の結果、前記符号化データ抽出回路が生成要求信号を出力しており、今回、前記符号化データ抽出回路から受け取った符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記符号化データ抽出回路へ出力する第２の判定回路と、を備えている。【００２５】  本発明によれば、好ましくは、前記第２の制御手段は、前記第２の判定回路より符号化データだけを受け取った場合には、該符号化データを出力し、前記第２の判定回路より前記生成要求信号を受け取った場合には、符号化データ生成の実行を指示し、前記第２の判定回路より前記廃棄要求信号を受け取った場合には、前記第２の判定回路から受け取った符号化データを必要な分だけ削除し、残りの符号化データを出力する第２の選択回路と、前記第２の選択回路からの符号化データ生成処理の実行の指示を受けて、回線網側の端末で、誤り隠蔽処理を実行させるために必要な符号化データを生成する第２の符号化データ生成回路と、を備えている。【００２６】  本発明のさらに別のアスペクトに係るゲートウェイ装置によれば、トランスコーダ機能を具備した構成としてもよく、この場合、ゲートウェイ装置の前記第１の制御手段は、前記第１の判定回路から、前記符号化データ、前記生成要求信号、前記廃棄要求信号のうちの少なくとも１つを受け取り、前記第１の判定回路から前記符号化データのみを受け取った場合には、受け取った前記符号化データを出力し、
前記生成要求信号を受け取った場合には、不足分のデータを作成するように指示し、
前記廃棄要求信号を受け取った場合には、前記廃棄要求信号の示す数分だけ、受け取った符号化データを廃棄し、残りの符号化データを出力する第１の選択回路と、
前記第１の選択回路からの指示を受けて、誤り隠蔽処理によりデータを生成する第１の誤り隠蔽処理回路と、を備えた構成としてもよい。かかる構成において、前記第１の選択回路からの符号化データを復号し復号データを出力する第１の復号回路と、前記第１の復号回路からの復号データと前記第１の誤り隠蔽処理回路からのデータとを入力し、回線網から受け取った前記符号化データの符号化方式とは別のパケット網側の符号化方式で符号化した符号化データを生成する第１の符号化回路とが設けられる。【００２７】  本発明のさらに別のアスペクトによれば、ゲートウェイ装置は、トランスコーダ機能を具備した構成としてもよく、前記第２の制御手段は、前記第２の判定回路より符号化データだけを受け取った場合には、該符号化データを出力し、前記第２の判定回路より生成要求信号を受け取った場合には、誤り隠蔽処理の実行を指示し、前記第２の判定回路より廃棄要求信号を受け取った場合には、前記第２の判定回路から受け取った符号化データを必要な分だけ削除し残りの符号化データを出力する第２の選択回路と、誤り隠蔽処理によりデータを生成する第２の誤り隠蔽処理回路と、を備えた構成としてもよい。かかる構成において、前記第２の選択回路から出力される符号化データを復号し復号データを出力する第２の復号回路と、前記第２の復号回路からの復号データと前記第２の誤り隠蔽処理回路からの誤り隠蔽処理用のデータを、前記パケット網から受信した符号化データの符号化方式とは異なる回線網側の符号化方式で符号化し符号化データを出力する第２の符号化回路とが設けられる。【００２８】  本発明のさらに別のアスペクトによれば、回線網とパケット網との異種通信網間を接続するゲートウェイ装置による符号化データの処理方法は、
（ａ１）前記ゲートウェイ装置が、前記回線網からの符号化データが遅着または損失したか判定するステップと、
（ｂ１）前記判定の結果、前記回線網からの符号化データが遅着又は損失した場合に、前記ゲートウェイ装置は、接続先の端末にて誤り隠蔽処理を実行させるための符号化データを生成するか、又は、取得した符号化データを廃棄するステップと、
を含む。【００２９】  本発明のさらに別のアスペクトに係る方法は、
（ａ２）回線網とパケット網との異種通信網間を接続するゲートウェイ装置が、前記パケット網からの符号化データが遅着または損失したか判定するステップと、
（ｂ２）前記判定の結果、前記パケット網からの符号化データが遅着又は損失した場合に、前記ゲートウェイ装置は、接続先の端末にて誤り隠蔽処理を実行させるための符号化データを生成するか、又は、遅着した符号化データを廃棄するステップと、
を含む。【００３０】  本発明のさらに別のアスペクトに係る方法は、
（ａ１）前記ゲートウェイ装置が、前記回線網からの符号化データが遅着または損失したか判定するステップと、
（ｂ１）前記判定の結果、前記回線網からの符号化データが遅着又は損失した場合に、前記ゲートウェイ装置は、送出先の端末にて誤り隠蔽処理を実行させるためのデータを生成するか、又は、遅着した符号化データを廃棄するステップと、
（ｃ１）前記ステップ（ｂ１）で処理された、前記回線網からの符号化データを復号して復号データを出力するステップと、
（ｄ１）前記ステップ（ｂ１）で生成されたデータ、及び前記復号データを、前記回線網からの符号化データの符号化方式とは異なる符号化方式で符号化して出力するステップと、を含む。【００３１】  本発明のさらに別のアスペクトに係る方法は、
（ａ２）前記ゲートウェイ装置が、前記パケット網からの符号化データが遅着または損失したか判定するステップと、
（ｂ２）前記判定の結果、前記パケット網からの符号化データが遅着又は損失した場合に、前記ゲートウェイ装置は、誤り隠蔽処理によりデータを生成するか、又は、遅着した符号化データを廃棄するステップと、
（ｃ２）前記ステップ（ｂ２）で処理された、前記パケット網からの符号化データを復号し復号データを出力するステップと、
（ｄ２）前記ステップ（ｂ２）で生成されたデータ、及び前記復号データを前記パケット網からの符号化データの符号化方式とは異なる符号化方式で符号化して出力するステップと、を含む。【００３２】  本発明に係る方法によれば、好ましくは、前記ステップ（ａ１）は、
（ａ１１）前記回線網から受信した多重化データを分離する多重化データ分離回路より出力される符号化データを受け取って計数し、所定の周期あたりの符号化データの取得数と、前記多重化データ分離回路から前記周期あたり出力が期待される符号化データの数の期待値とを比較するステップと、
（ａ１２）比較の結果、前記符号化データの取得数と前記期待値とが同数の場合には、前記多重化データ分離回路より受け取った前記符号化データを出力し、
前記符号化データの取得数が前記期待値よりも少ない場合には、不足分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データととも出力するステップを含む。【００３３】  本発明に係る方法によれば、好ましくは、前記ステップ（ｂ１）は、
（ｂ１１）前記ステップ（ａ１２）から出力される、前記符号化データ、又は、前記生成要求信号、又は、前記廃棄要求信号を受け取り、
前記符号化データのみを受け取った場合には、受け取った前記符号化データを出力し、
前記生成要求信号を受け取った場合には、不足分のデータを作成するように指示し、
前記廃棄要求信号を受け取った場合には、該廃棄要求信号の示す数分だけ、受け取った符号化データを廃棄し、残りの符号化データを出力するステップと、
（ｂ１２）前記不足分のデータを作成する指示を受けて、接続先の端末にて誤り隠蔽処理を実行させるための符号化データを生成するステップと、を含む。【００３４】  本発明に係る方法によれば、好ましくは、前記ステップ（ａ２）は、
（ａ２１）所定の周期にて処理開始要求信号を出力するタイマ回路からの処理開始要求信号、又は、再取得要求信号を受け取った時点で、前記パケット網からパケットデータを受信する受信回路からパケットデータの取得を試み、
前記試みが成功した場合、前記パケットデータから符号化データを抽出し、前記受信回路からパケットデータの取得の試みが失敗した場合に、取得不可の旨を示す信号を出力する、符号化データ抽出処理を実行するステップと、
（ａ２２）前記ステップ（ａ２１）からの出力が前記取得不可の旨を示す信号である場合、接続先の端末にて誤り隠蔽処理を実行させるために生成要求信号を出力し、
前記ステップ（ａ２１）で出力された符号化データを受け取り、かつ直前に、前記生成要求信号を出力していない場合には、前記ステップ（ａ２１）で出力された符号化データを出力し、
前回の判定の結果、前記ステップ（ａ２１）ですでに生成要求信号を出力しており、今回、前記ステップ（ａ２１）で出力された符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記ステップ（ａ２１）の符号化データ抽出処理へ出力するステップと、を含む。【００３５】  本発明に係る方法によれば、好ましくは、前記ステップ（ｂ２）は、
（ｂ２１）前記ステップ（ａ２２）より、前記生成要求信号が出力された場合、誤り隠蔽処理の実行を指示し、前記ステップ（ａ２２）より、廃棄要求信号が出力された場合、前記ステップ（ａ２２）で出力された符号化データを必要な分だけ削除し、残りの符号化データを出力するステップと、
（ｂ２２）回線網側の接続先の端末で誤り隠蔽処理を実行させるために必要な符号化データを生成するステップと、を含む。
【発明の効果】
【００３６】  本発明によれば、過剰な音声パケットデータの送出を抑えることで、送出先での余分な音声遅延を抑制し、音声品質の劣化を最小限に抑えつつ、短い遅延が求められる音声通話を実現可能としている。【００３７】  また本発明によれば、パケット網からの受信パケットの遅延ゆらぎ吸収のためのバッファの量に関して、パケット網から受信される音声パケット内の符号化データの数と、符号化データ抽出処理の周期的な取得の両者のバランスが崩れ、バッファが枯渇してしまった場合、符号化データ抽出処理での取得不可の情報を基に、送出先の端末にて、誤り隠蔽処理を実行させるため、符号化データ生成処理で音声符号化データを生成し、データ多重化処理へと出力し、遅着音声パケットを受信した場合には廃棄とすることにより、音声品質の劣化を最小限に抑えつつ、音声通話としての短い遅延を保持することが実現できる。【００３８】  さらに、本発明によれば、入力した符号化データを別の符号化方式で再符号化して出力するトランスコーダ機能に適用した場合にも、信号品質の劣化を最小限に抑え、信号遅延を抑えることができる。
【図面の簡単な説明】
【００３９】［図１］本発明の第１の実施例のゲートウェイ装置の構成を示す図である。
［図２］本発明の第１の実施例の音声データ処理回路における回線網からパケット網方向の処理に関連する構成を示す図である。
［図３］本発明の第１の実施例の音声データ処理回路におけるパケット網から回線網方向の処理に関連する構成を示す図である。
［図４］本発明の第１の実施例の音声データ処理回路における回線網からパケット網方向に関連する処理を説明するためのフローチャートである。
［図５］本発明の第１の実施例の音声データ処理回路におけるパケット網から回線網方向に関連する処理を説明するためのフローチャートである。
［図６］本発明の第２の実施例の音声データ処理回路における回線網からパケット網方向の処理に関連する構成を示す図である。
［図７］本発明の第２の実施例の音声データ処理回路におけるパケット網から回線網方向の処理に関連する構成を示す図である。
［図８］本発明の第２の実施例の音声データ処理回路における回線網からパケット網方向に関連する処理を説明するためのフローチャートである。
［図９］本発明の第２の実施例の音声データ処理回路におけるパケット網から回線網方向に関連する処理を説明するためのフローチャートである。
［図１０］本発明の第３の実施例のゲートウェイ装置の構成を示す図である。
［図１１］従来のゲートウェイ装置の構成を示す図である。
［図１２］従来の音声データ処理回路の一例のブロック図である。
【符号の説明】
【００４０】  １００  回線網終端回路
２００  多重化データ分離回路
３００  制御データ処理回路
４００  画像データ処理回路
５００  音声データ処理回路
５０１  パケットデータ構築回路
５０２  第１の判定回路
５０３  第１の選択回路
５０４  第１の符号化データ生成回路
５０５  第１の誤り隠蔽処理回路
５０６  第１の復号回路
５０７  第１の符号化回路
５１１  第２のタイマ回路
５１２  符号化データ抽出回路
５１３  第２の判定回路
５１４  第２の選択回路
５１５  第２の符号化データ生成回路
５１６  第２の誤り隠蔽処理回路
５１７  第２の復号回路
５１８  第２の符号化回路
５５０、５６０  音声データ処理回路
６００  パケット網制御データ終端回路
７００  パケット網画像データ終端回路
８００  パケット網音声データ終端回路
８０１  送信回路
８０２  受信回路
９００  データ多重化回路
１０００  第１のタイマ回路
【発明を実施するための最良の形態】
【００４１】  本発明をより詳細に説明するため、実施形態について説明する。本発明は、その実施の一形態において、回線網とパケット網間の接続を行うゲートウェイは、回線網からパケット網方向について、一定の周期で動作する多重化データ分離回路（２００）から所定の周期あたりに実際に取得された音声符号化データの数と、該周期と音声符号化方式のフレーム時間長から算出される、該周期あたりに多重化データ分離回路（２００）より出力が期待される音声符号化データの数の期待値との比較を行い、比較結果に基づき適切な判定処理を行い、該判定結果に基づき、符号化データ生成処理の選択、あるいは廃棄処理を行うことで、周期毎でのパケットデータの送出数を一定とし、送出先の端末での信号品質の劣化を最小限に抑えながら、音声通信としての短い遅延の維持を可能としている。同様にして、パケット網から回線網についても、ゲートウェイは、パケット網の遅延ゆらぎ等の影響により遅着パケットが発生した場合、受信したパケットデータから符号化データを抽出する処理においてデータの取得不可の旨を示す信号を出力する構成とし、符号化データを抽出する処理からの出力に基づき、適切な判定処理を行い、該判定結果に基づき、符号化データ生成処理の選択、あるいは廃棄処理を行うようにしたものである。より詳細には、本発明の一実施形態は、回線網とパケット網間を接続するゲートウェイ装置が、回線網からの多重化データを分離する多重化データ分離回路（２００）と、多重化データ分離回路で分離された符号化データを処理しパケット化して出力するデータ処理回路（５５０）と、前記データ処理回路から出力されるパケットをパケット網に送信する送信回路（８０１）とを備えている。【００４２】  本発明の一実施形態において、データ処理回路（５５０）は、図２を参照すると、パケットデータ構築回路（５０１）、第１の判定回路（５０２）、第１の選択回路（５０３）、第１の符号化データ生成回路（５０４）を備えている。【００４３】  第１の判定回路（５０２）は、多重化データ分離回路（２００）から出力される符号化データを受け取って計数し、所定の周期あたりの符号化データの取得数と、多重化データ分離回路（２００）から前記周期あたり出力が期待される符号化データの数の期待値とを比較し、比較の結果、
・前記符号化データの取得数と前記期待値が同数の場合、前記多重化データ分離回路より受けとった前記符号化データを出力し、
・前記符号化データの取得数が前記期待値よりも少ない場合には、不足分のデータを生成させるための生成要求信号を出力し、
・前記符号化データの取得数が前記期待値よりも多い場合には、過剰分の符号化データを廃棄するための廃棄要求信号を出力する。【００４４】  第１の選択回路（５０３）は、第１の判定回路（５０２）から出力される符号化データ、前記生成要求信号、前記廃棄要求信号の少なくともいずれか１つを受け取り、受け取った信号に基づき、下記（Ｉ）乃至（ＩＩＩ）の制御を行う。【００４５】  （Ｉ）第１の選択回路（５０３）は、第１の判定回路（５０２）から前記符号化データのみを受け取った場合には、受け取った前記符号化データを出力する。【００４６】  （ＩＩ）第１の選択回路（５０３）は、第１の判定回路（５０２）から前記生成要求信号を受け取った場合には、不足分の符号化データを作成するように指示する。【００４７】  （ＩＩＩ）第１の選択回路（５０３）は、第１の判定回路（５０２）から前記廃棄要求信号を受け取った場合には、該廃棄要求信号の示す数分だけ、受け取った符号化データを廃棄し、残りの符号化データを出力する。【００４８】  第１の符号化データ生成回路（５０４）は、第１の選択回路（５０３）からの指示を受けて、パケット網側の送出先の端末にて誤り隠蔽処理を実行させるための符号化データを生成する。【００４９】  パケットデータ構築回路（５０１）は、第１の選択回路（５０３）から出力される符号化データ、又は、第１の符号化データ生成回路（５０４）から出力される符号化データを入力し、パケットデータ形式に変換する。【００５０】  本発明の一実施形態において、データ処理回路（５５０）は、図３を参照すると、第２のタイマ回路（５１１）と、符号化データ抽出回路（５１２）と、第２の判定回路（５１３）と、第２の選択回路（５１４）と、第２の符号化データ生成回路（５１５）とを備えている。【００５１】  第２のタイマ回路（５１１）は、所定の周期にて処理開始要求信号を出力し、符号化データ抽出回路（５１２）は、第２のタイマ回路（５１１）からの処理開始要求信号、あるいは再取得要求信号を受け取った時点で、受信回路（８０２）からパケットデータの取得を試み、前記試みが成功した場合、前記パケットデータから、符号化データを抽出し、前記受信回路からパケットデータの取得の試みが失敗した場合、取得不可の旨を示す信号を出力する。【００５２】  第２の判定回路（５１３）は、符号化データ抽出回路（５１２）で抽出された符号化データ、又は、前記符号化データ抽出回路から出力された取得不可の旨を示す信号を受け取り、受け取った信号に基づき、下記（Ｉ）乃至（ＩＩＩ）の制御を行う。【００５３】  （Ｉ）第２の判定回路（５１３）は、符号化データ抽出回路（５１２）から受け取った信号が、取得不可の旨を示す信号を受け取った場合には、回線網先の端末にて誤り隠蔽処理を実行させるために、生成要求信号を出力する。【００５４】  （ＩＩ）第２の判定回路（５１３）は、符号化データ抽出回路（５１２）から符号化データを受け取り、かつ直前に、符号化データ抽出回路（５１２）で生成要求信号を出力していない場合には、符号化データ抽出回路（５１２）から受け取った符号化データを出力する。【００５５】  （ＩＩＩ）第２の判定回路（５１３）は、前回の判定の結果、符号化データ抽出回路（５１２）が生成要求信号を出力しており、今回、符号化データ抽出回路（５１２）から受け取った符号化データが、前記生成要求信号の出力タイミングで処理されるべき符号化データである場合には、前記符号化データと共に、前記符号化データを廃棄する旨を示す廃棄要求信号を出力し、さらに、再度、符号化データを要求するための、再取得要求信号を、符号化データ抽出回路（５１２）へ出力する。【００５６】  第２の選択回路（５１４）は、第２の判定回路（５１３）からの符号化データ、生成要求信号、または廃棄要求信号を受け取り、受け取った信号が生成要求信号のときは、誤り隠蔽処理を実行させるために必要な符号化データを指示し、受け取った信号が廃棄要求信号のときは、符号化データを廃棄する。【００５７】  第２の符号化データ生成回路（５１５）は、回線網側の端末で、誤り隠蔽処理を実行させるために必要な符号化データを生成する。第２の選択回路（５１４）又は第２の符号化データ生成回路（５１５）で生成された符号化データが、データ多重化回路（９００）を介して回線網に送出される。【００５８】  なお、例えば第１の符号化方式で符号化されたデータを、別の第２の符号化方式で再符号化した符号化データを出力するトランスコーダ機能を具備するゲートウェイ装置に対しても、以下の実施例で説明するように、同様にして、実現することができる。
【実施例】
【００５９】  本発明の実施例について図面を参照して以下に説明する。図１は、本発明の第１の実施例の構成を示す図である。図１には、回線網とパケット網間接続に用いられる本実施例のゲートウェイ装置の構成が示されている。図１において、図１１と同一又は同等の要素には同一の参照符号が付されている。図１を参照すると、本実施例のゲートウェイ装置は、回線網終端回路１００、多重化データ分離回路２００、データ多重化回路９００、第１のタイマ回路１０００、制御データ処理回路３００、パケット網制御データ終端回路６００、画像データ処理回路４００、パケット網画像データ終端回路７００、音声データ処理回路５５０、パケット網音声データ終端回路８００を備えている。本実施例の音声データ処理回路５５０は、図１１に示した従来の音声データ処理回路５００と相違しており、パケットの挿入及び廃棄機能を具備している。なお、音声データ処理回路５５０の入出力のデータ形式は、図１１に示した従来のものと同一とされる。以下では、主に、挿入及び廃棄機能を有する音声データ処理回路５５０について説明し、図１１と同一要素の説明は適宜省略する。【００６０】  回線網から回線網終端回路１００より固定長の音声、画像、制御データが多重化された多重化データが送出されてくるものとする。このとき、第１のタイマ回路１０００にて管理される周期により、多重化データ分離回路２００にて、多重化データを制御、画像、音声データに分離し、多重化データ分離回路２００は、分離した制御、画像、音声データを、それぞれ制御データ回路３００、画像データ処理回路４００、音声データ処理回路５５０へ供給する。データ処理回路３００、４００、５００では、それぞれ受け取ったデータの処理を行い、処理したデータを、対応するパケット網終端回路６００、７００、８００へ出力する。パケット網終端回路６００、７００、８００は、データ処理回路３００、４００、５００から受け取ったデータをパケット化してパケット網へ送出する。回線網から受信した多重化データに対して、上記一連の動作が行われる。【００６１】  一方のパケット網から回線網方向について、パケット網終端回路６００、７００、８００にて、制御情報、画像符号化情報、音声符号化情報をそれぞれ含むパケットを受信し、制御データ、画像符号化データ、音声符号化データは、制御データ処理回路３００、画像データ処理回路４００、音声データ処理回路５５０へそれぞれ供給される。制御データ処理回路３００、画像データ処理回路４００、音声データ処理回路５５０にて、回線網からパケット網方向とは逆に変換する処理を行い、処理結果データをデータ多重化回路９００に供給する。データ多重化回路９００では、第１のタイマ回路１０００にて管理される一定の周期にしたがって、制御データ処理回路３００、画像データ処理回路４００、音声データ処理回路５５０よりそれぞれ出力されるデータを多重化し、多重化データを回線網終端回路１００へ出力する。回線網終端回路１００は、データ多重化回路９００より受け取った多重化データを回線網へ送出する。【００６２】  図２及び図３は、図１の音声データ処理回路５５０の構成の一例を示す図である。図２を参照すると、音声デー���処理回路５５０は、回線網からパケット網方向について、パケットデータ構築回路５０１、第１の判定回路５０２、第１の選択回路５０３、第１の符号化データ生成回路５０４を備えている。【００６３】  第１の判定回路５０２は、多重化データ分離回路２００から一定の周期で出力される音声符号化データを取得し、音声符号化データの取得数を周期毎に計上する。第１の判定回路５０２は、周期及び音声符号化方式のフレーム時間長により、多重化データ分離回路２００から周期あたりに出力の期待される音声符号化データの数を予め算出しておいた値を不図示の記憶装置に記憶しておく。第１の判定回路５０２は、音声符号化データの取得数と、多重化データ分離回路２００から周期あたりに出力の期待される数（期待値）とを比較し、比較の結果、両者の数が同数の場合、多重化データ分離回路２００より受けとった音声符号化データ全てをパケットデータ構築回路５０１へと出力する。第１の判定回路５０２は、当該周期あたり多重化データ分離回路２００より受けとった音声符号化データの取得数の方が、予め算出された期待値よりも少ない場合、不足数分を符号化データ生成回路５０４にて生成させるための生成要求信号を、取得した音声符号化データと共に出力する。第１の判定回路５０２は、当該周期あたり多重化データ分離回路２００より受けとった音声符号化データの取得数の方が、期待値よりも多い場合には、過剰分の音声符号化データを廃棄するための廃棄要求信号を、取得した音声符号化データと共に出力するように制御する。【００６４】  第１の選択回路５０３は、第１の判定回路５０２から、音声符号化データ、あるいは、生成要求信号、廃棄要求信号を受け取り、受け取った情報に応じて処理を切り替え、音声符号化データをパケットデータ構築回路５０１へ出力する。【００６５】  第１の符号化データ生成回路５０４は、パケット網側の送出先の端末（不図示）にて、誤り隠蔽処理を実行させるのに必要な音声符号化データを生成し、パケットデータ構築回路５０１に出力する。パケットデータ構築回路５０１は、音声符号化データをパケットデータ形式に変換し、送信回路８０１に供給する。【００６６】  図３を参照すると、音声データ処理回路５５０は、パケット網から回線網方向について、第２のタイマ回路５１１、符号化データ抽出回路５１２、第２の判定回路５１３、第２の符号化データ生成回路５１５を備えている。【００６７】  第２のタイマ回路５１１は、一定の周期にて処理開始要求信号を出力する。符号化データ抽出回路５１２は、第２のタイマ回路５１１からの処理開始要求信号、あるいは第２の判定回路５１３からの再取得要求信号を取得した時点で、音声パケットを受信する受信回路８０２から音声データの取得を試み、その試みが成功した場合、音声データから音声符号化データを抽出し、一方、受信回路８０２から音声データの取得の試みが失敗した場合、取得不可の旨を示す信号を出力する。第２の判定回路５１３は、符号化データ抽出回路５１２から取得される音声符号化データ、あるいは取得不可の旨を示す信号を受け取り、受け取った信号が取得不可の旨を示す信号の場合、回線網先の端末にて誤り隠蔽処理を実行させるために、第２の符号化データ生成回路５１５を選択するための生成要求信号を出力し、受け取ったデータが音声符号化データであり、かつ、直前に、生成要求信号を出力していない場合には、当該音声符号化データを第２の選択回路５１４へと出力し、前回判定時に生成要求信号を出力しており、今回取得された音声符号化データが、要求信号出力タイミングで処理されるべき符号化データであった場合、音声符号化データと共に、該データを廃棄する旨を示す廃棄要求信号を第２の選択回路５１４へ出力し、再度、音声符号化データを要求するため、再取得要求信号を符号化データ抽出回路５１２へ出力する制御を行い、第２の符号化データ生成回路５１５は、回線網側の端末で音声誤り隠蔽処理を実行させるのに必要な音声符号化データを出力する。【００６８】  音声データ処理回路５５０における回線網からパケット網についての動作を説明する。図１において、第１のタイマ回路１０００は、一定周期毎に、処理開始要求信号を出力する。多重化データ分離回路２００は、第１のタイマ回路１０００で管理される一定の周期にしたがって処理を行う。すなわち、多重化データ分離回路２００は、第１のタイマ回路１０００から出力される処理開始要求信号を受け取ると、回線網終端回路１００から受け取った信号の中から、ユニークワードの検出、及び制御データ、画像データ、音声データの分離処理を行い、音声符号化データを出力する。【００６９】  図４は、図２に示した本実施例の音声データ処理回路５５０における回線網からパケット網についての符号化データの処理動作を説明するフローチャートである。第１の判定回路５０２は、多重化データ分離回路２００からのデータが出力されるまで待機状態とされ（ステップＳ１）、待機が解除されると（ステップＳ２）、多重化データ分離回路２００より出力された音声符号化データを受け取り、第１の判定回路５０２は、周期毎の取得数を計上する（ステップＳ３）。【００７０】  第１の判定回路５０２は、周期と音声符号化方式のフレーム時間長から、予め周期あたりに多重化データ分離回路２００から出力が期待される音声符号化データの数（期待値）を算出しておく。そして、予め周期あたりに多重化データ分離回路２００から出力が期待される音声符号化データの数と、実際の音声符号化データの取得数との両者の比較を行う（ステップＳ４）。【００７１】  比較の結果、両者の数が一致していた場合、第１の判定回路５０２は、周期あたりに多重化データ分離回路２００から受け取った音声符号化データを全て第１の選択回路５０３へ出力する。【００７２】  また、第１の判定回路５０２において、周期毎に計上した音声符号化データの取得数が、周期あたりに多重化データ分離回路２００から出力が期待される音声符号化データの数（期待値）を下回った場合、第１の符号化データ生成回路５０４において、不足分の数（＝期待値−実際の取得数）だけ、音声符号化データを生成させる旨を示す生成要求信号を、実際に取得された音声符号化データと共に、第１の選択回路５０３へ受け渡す（ステップＳ６）。周期毎に計上した音声符号化データの取得数が期待値よりも少ない場合、生成要求信号を出力するのは、多重化データ分離回路２００で多重化データが適切に��離できなかったか、あるいは、音声符号化データ以外のデータ量の増加に伴い、該当タイミングでは音声データの分離には至らなかったという判断に基づいている。【００７３】  第１の判定回路５０２において、周期毎に計上される音声符号化データの取得数が、周期あたりに多重化データ分離回路２００から出力が期待される音声符号化データの数（期待値）を上回った場合、上回った分（＝実際の取得数−期待値）の音声符号化データを廃棄する旨を示す廃棄要求信号を、実際に取得された音声符号化データと共に、第１の選択回路５０３へ引き渡す（ステップＳ７）。【００７４】  第１の選択回路５０３は、第１の判定回路５０２より出力される音声符号化データ、場合によって、生成要求信号あるいは廃棄要求信号を受け取る。第１の選択回路５０３は、第１の判定回路５０２より音声符号化データのみが引き渡された場合には（ステップＳ５の「符号化データのみ取得」の分岐）、該音声符号化データの全てをパケットデータ構築回路５０１へ出力する。【００７５】  第１の選択回路５０３は、第１の判定回路５０２より、音声符号化データと共に生成要求信号が供給された場合（ステップＳ５の「生成要求信号取得」の分岐）、第１の判定回路５０２からの音声符号化データと、生成要求信号の示す数分だけ、第１の符号化データ生成回路５０４に音声符号化データを生成させ、第１の判定回路５０２からの音声符号化データと、第１の符号化データ生成回路５０４で生成した音声データがパケットデータ構築回路５０１へ供給される（ステップＳ９）。第１の符号化データ生成回路５０４は、送出先の端末にて、誤り隠蔽処理を実行させる音声符号化データを生成する。【００７６】  第１の選択回路５０３は、第１の判定回路５０２より、音声符号化データと共に、廃棄要求信号を取得した場合（ステップＳ５の「廃棄要求信号取得」の分岐）、受け取った音声符号化データのうち、該廃棄要求信号の示す数分だけ、音声符号化データの廃棄を行い、残った音声符号化データを、パケットデータ構築回路５０１へ出力する（ステップＳ１０）。【００７７】  パケットデータ構築回路５０１は、第１の選択回路５０３より出力された音声符号化データに対して、パケットデータ形式にプロトコル変換し、パケット終端回路８００へ出力する（ステップＳ８）。【００７８】  そして、上記一連の動作の結果、パケット終端回路８００内の送信回路８０１から送出されるパケットデータは、動作周期に即したパケット数だけ送出することとなる。【００７９】  次に、パケット網から回線網についての動作を説明する。音声パケットがパケット網から音声データ終端回路８００の受信回路８０２（図３参照）にて受信され、ゆらぎをある程度吸収するためのバッファに一定数貯められた後、第２のタイマ回路５１１より、一定の周期で、処理開始要求信号が出力され始めたとする。【００８０】  図５は、図３に示した本実施例の音声データ処理回路５５０において、パケット網から回線網について符号化データの処理動作を説明するフローチャートである。【００８１】  符号化データ抽出回路５１２は、第２のタイマ回路５１１からの処理開始要求信号、あるいは第２の判定回路５１３からの再取得要求信号を取��した時点で、受信回路８０２から適当な音声データの取得を試みる（ステップＳ１１〜Ｓ１３）。【００８２】  符号化データ抽出回路５１２において、受信回路８０２からの適当な音声データの取得の試みが成功した場合、取得した音声データより、音声符号化データを抽出及び出力する（ステップＳ１５）。【００８３】  一方、受信回路８０２から適当な音声データの取得の試みが失敗したため、音声データを取得できなかった場合には、符号化データ抽出回路５１２は、音声符号化データの取得不可の旨を示す信号を第２の判定回路５１３に対して出力する（ステップＳ１６）。【００８４】  第２の判定回路５１３は、符号化データ抽出回路５１２より出力される音声符号化データ、あるいは、音声符号化データの取得不可の旨を示す信号を受け取る。【００８５】  第２の判定回路５１３は、符号化データ抽出回路５１２より受け取った信号が、取得不可の旨を示す信号である場合（ステップＳ１７のＮＯ）、パケット網の遅延ゆらぎにより、受信回路８０２にて保持されるバッファの入出力数のバランスが崩れたか、あるいは、パケット網にてパケットのロスが発生し、適当な音声データの取得ができなかったという判断に基づき、送出先の通信網（この場合回線網側）の端末（不図示）にて、誤り隠蔽処理を実行させるために、第２の符号化データ生成回路５１５を選択する旨を示す生成要求信号を、出力する（ステップＳ１９）。【００８６】  第２の判定回路５１３は、符号化データ抽出回路５１２より受け取ったデータが音声符号化データであって、直前に、生成要求信号を出力していない場合、取得不可の旨を示す信号を受け取らず、音声符号化データ取得に成功した場合（ステップＳ１７のＹＥＳ）、音声符号化データを第２の選択回路５１４へ出力する。【００８７】  第２の判定回路５１３は、前回の判定時に、生成要求信号を出力しており（ステップＳ１８のＹＥＳ分岐）、今回受け取った音声符号化データが、生成要求信号の出力タイミングで本来処理されるべき音声符号化データである場合には、音声符号化データを廃棄し、再度、音声符号化データを要求するために、再取得要求信号を符号化データ抽出回路５１２に対して出力する（ステップＳ２０）。【００８８】  本実施例では、廃棄要求信号と、再取得要求信号が交互に繰り返され、結果的に、データ多重化回路９００に、第２の符号化データ生成回路５１５からのデータが連続的に出力される状況に陥ることを回避するため、第２の判定回路５１３は、回避のためのリセット機能も有する。【００８９】  第２の選択回路５１４は、第２の判定回路５１３から供給される音声符号化データ、あるいは、生成要求信号を取得する。第２の選択回路５１４は、第２の判定回路５１３から受け取った信号が生成要求信号である場合、第２の符号化データ生成回路５１５を選択し、第２の符号化データ生成回路５１５で生成された音声符号化データが、データ多重化回路に出力される（ステップＳ２２）。【００９０】  一方、音声符号化データが取得された場合、第２の選択回路５１４は、音声符号化データを、データ多重化回路９００へ出力する処理を選択する（ステップＳ２３）。【００９１】  第２の符号化データ生成回路５１５は、回線網側の送出先の端末（不図示）で、誤り隠蔽処理を実行させる符号化データを生成する。【００９２】  上記一連の処理の結果、データ多重化回路９００、そして回線網終端回路１００を経て送出される多重化データは、音声品質の劣化を最小限に抑えつつ、適度な音声遅延を維持できる。なお、図２及び図３に示した、音声データ処理回路５５０の構成は、あくまでも一例であり、同等の処理を実現できるものであれば、上記構成にのみ限定されるものではない。【００９３】  上記実施例において、回線網とパケット網とで用いられる音声符号化方式が同一の場合である。本発明は、回線網とパケット網とで用いられる音声符号化方式が相違する場合についても適用可能である。【００９４】  本発明の第２の実施例として、回線網とパケット網とで使用する音声符号化方式が異なる場合について説明する。本実施例は、図１において、音声データ処理回路５５０の代わりに、音声データ処理回路５６０を備えている。【００９５】  図６、図７は、本発明の第２の実施例における音声データ処理回路５６０の構成を示す図である。【００９６】  図６を参照すると、回線網とパケット網とで用いられる符号化方式が異なる場合の音声データ処理回路５６０は、回線網からパケット網方向について、パケットデータ構築回路５０１、第１の判定回路５０２、第１の選択回路５０３、第１の誤り隠蔽処理回路５０５、第１の復号回路５０６、第１の符号化回路５０７を備えている。【００９７】  第１の判定回路５０２は、多重化データ分離回路２００より音声符号化データを受けとると、音声符号化データの個数を計数し、周期毎に出力された音声符号化データの取得数を計上し、周期および音声符号化方式により周期あたりに多重化データ分離回路２００より出力の期待される音声符号化データの数（期待値、この期待値は予め算出され記憶しておく）とを比較し、周期毎に出力された音声符号化データの取得数と、期待値が一致している場合、周期あたりに多重化データ分離回路２００から出力された音声符号化データ全てを、第１の選択回路５０３へ出力し、周期毎に出力された音声符号化データの取得数が、期待値を下回った場合、第１の誤り隠蔽処理回路５０５にて、不足する分の数だけ音声ＰＣＭデータを生成させる旨を示す生成要求信号を、実際に取得された音声符号化データと共に、第１の選択回路５０３へ出力し、周期毎に出力された音声符号化データの取得数が期待値を上回った場合、上回った個数分の音声符号化データを廃棄する旨を示す廃棄要求信号を、実際に取得された音声符号化データと共に第１の選択回路５０３へ出力する制御を行う。【００９８】  第１の選択回路５０３は、第１の判定回路５０２から音声符号化データと共に生成要求信号を受け取った場合、生成要求信号の示す数分だけ第１の誤り隠蔽処理回路５０５から音声ＰＣＭデータを生成させる。第１の選択回路５０３は、第１の判定回路５０２から音声符号化データと共に廃棄要求信号を取得した場合、廃棄要求信号の示す数分だけ音声符号化データの廃棄を行い、残った音声符号化データのみを、第１の復号回路５０６に供給する。【００９９】  第１の復号回路５０６は、第１の選択回路５０３より供給された音声符号化データを��号し、音声ＰＣＭデータを出力する。【０１００】  第１の誤り隠蔽処理回路５０５は、誤り隠蔽処理により音声ＰＣＭデータを出力する。【０１０１】  第１の符号化回路５０７は、第１の復号回路５０６、第１の誤り隠蔽処理回路５０５からの音声ＰＣＭデータを取得し、別の符号化方式で符号化した音声符号化データを出力する。【０１０２】  パケットデータ構築回路５０１は、第１の符号化回路５０７より出力された音声符号化データに対して、パケットデータ形式にプロトコル変換し、パケット終端回路８００へ出力する。【０１０３】  図７を参照すると、音声データ処理回路５６０は、パケット網から回線網方向について、第２のタイマ回路５１１、符号化データ抽出回路５１２、第２の判定回路５１３、第２の誤り隠蔽処理回路５１６、第２の復号回路５１７、第２の符号化回路５１８を備え、トランスコーダ処理機能を実現している。【０１０４】  第２のタイマ回路５１１は、一定周期で処理開始要求信号を出力する。【０１０５】  符号化データ抽出回路５１２は、第２のタイマ回路５１１から出力される処理開始要求信号、あるいは第２の判定回路５１３からの再取得要求信号を受け取ると、受信回路８０２から適当な音声データの取得を試み、音声データの取得の試みが成功した場合、符号化データの抽出及び出力を行い、音声データの取得が失敗した場合には、取得不可を示す信号を出力する。【０１０６】  第２の判定回路５１３は、符号化データ抽出回路５１２より取得不可の旨を示す信号を受け取った場合、第２の誤り隠蔽処理回路５１６を選択する生成要求信号を出力し、符号化データ抽出回路５１２より受け取ったデータが音声符号化データであって、直前に生成要求信号を出力していない場合には、音声符号化データを、第２の選択回路５１４へ出力する。第２の判定回路５１３は、前回の判定時に生成要求信号を出力しており、今回取得された音声符号化データが生成要求信号の出力タイミングで本来処理されるべき符号化データである場合には、音声符号化データと共に、該データを廃棄する旨を示す廃棄要求信号を第２の選択回路５１４へ出力し、再度、音声符号化データを要求するため、再取得要求信号を符号化データ抽出回路５１２へ出力する制御を行う。【０１０７】  第２の選択回路５１４は、第２の判定回路５１３より生成要求信号を受け取った場合、第２の誤り隠蔽処理回路５１６を選択し、第２の判定回路５１３から音声符号化データを受け取った場合、該音声符号化データを、第２の復号回路５１７へ出力する。【０１０８】  第２の誤り隠蔽処理回路５１６は、誤り隠蔽処理により、音声ＰＣＭデータを出力する。第２の復号回路５１７は、第２の選択回路５１３から供給される音声符号化データに対して復号処理を行い、音声ＰＣＭデータを出力する。【０１０９】  第２の符号化回路５１８は、第２の誤り隠蔽処理回路５１６、あるいは復号回路５１７からの音声ＰＣＭデータを取得し、送信先側の符号化方式にしたがって符号化して得られた音声符号化データを、データ多重化回路９００へ出力する。【０１１０】  図８は、両通信網で取り扱われる音声符号化方式が異なる場合の回線網からパケット網方向についての動作を説明する流れ図である。図１、図６���及び図８を参照して、音声データ処理回路５６０の動作を説明する。【０１１１】  多重化データ分離回路２００にて多重化データを分離し、音声データ処理回路５６０へと入力された音声符号化データに対して、図６の音声データ処理回路５６０の第１の判定回路５０２は、音声符号化データを受けるとともに、周期毎に出力された音声符号化データの取得数を計上し（ステップＳ３１〜Ｓ３３）、周期および音声符号化方式により、周期あたりに多重化データ分離回路２００より出力の期待される音声符号化データの数を予め算出しておき、両者の数の比較を行う（ステップＳ３４）。【０１１２】  第１の判定回路５０２は、周期毎に出力された音声符号化データの取得数と、周期あたりに多重化データ分離回路２００より出力の期待される音声符号化データの数とが一致していた場合、周期あたりに多重化データ分離回路２００から出力された音声符号化データ全てを、第１の選択回路５０３へ出力する。【０１１３】  第１の判定回路５０２は、周期毎に出力された音声符号化データの取得数が、周期あたりに取得の期待される音声符号化データの数を下回った場合、第１の誤り隠蔽処理回路５０５にて、不足する分の数だけ音声ＰＣＭデータを生成させる旨を示す生成要求信号を、実際に取得された音声符号化データと共に、第１の選択回路５０３へ出力する（ステップＳ３６）。【０１１４】  第１の判定回路５０２は、周期毎に出力された音声符号化データの取得数が、周期あたりに多重化データ分離回路２００より出力の期待される音声符号化データの数を上回った場合、上回った分の音声符号化データを廃棄する旨を示す廃棄要求信号を、実際に取得された音声符号化データと共に第１の選択回路５０３へ出力する（ステップＳ３７）。【０１１５】  第１の選択回路５０３は、音声符号化データ、あるいは、場合によって、生成要求信号、廃棄要求信号を、第１の判定回路５０２から受け取る。【０１１６】  第１の選択回路５０３は、第１の判定回路５０２から音声符号化データのみが取得された場合、音声符号化データ全てを第１の復号回路５０６へ出力する。【０１１７】  第１の選択回路５０３は、第１の判定回路５０２から音声符号化データと共に生成要求信号を取得した場合、生成要求信号の示す数分だけ第１の誤り隠蔽処理回路５０から音声ＰＣＭデータを生成させる（ステップＳ３９）。【０１１８】  第１の選択回路５０３は、第１の判定回路５０２から受け取った音声符号化データを、第１の復号回路５０６に供給する。第１の復号回路５０６から出力される復号データとともに、第１の誤り隠蔽処理回路５０５からの音声ＰＣＭデータが、第１の符号化回路５０７に入力される。【０１１９】  第１の誤り隠蔽処理回路５０５は、誤り隠蔽処理により、音声ＰＣＭデータを出力する回路である。なお、第１の誤り隠蔽処理回路５０５における誤り隠蔽処理は、直前の音声信号の複製データを利用する方法、あるいは、対象となる音声符号化方式に備わっている誤り隠蔽処理を利用する方法等であってよい。【０１２０】  第１の選択回路５０３は、第１の判定回路５０２から音声符号化データと共に廃棄要求信号を受け取った場合、受け取った音声符号化データの中から、廃棄要求信号の示��数分だけ音声符号化データの廃棄を行い（ステップＳ４０）、残った音声符号化データを第１の復号回路５０６に供給する。【０１２１】  第１の復号回路５０６は、第１の選択回路５０３より供給された音声符号化データを復号し、音声ＰＣＭデータを出力する。【０１２２】  第１の符号化回路５０７は、第１の復号回路５０６、第１の誤り隠蔽処理回路５０５から出力される音声ＰＣＭデータを受け取り、音声ＰＣＭデータに対して送信先に対応した符号化処理を行って音声符号化データを出力する（ステップＳ４２）。【０１２３】  パケットデータ構築回路５０１は、第１の符号化回路５０７から出力された音声符号化データを受け取り、該音声符号化データをパケットデータ形式にプロトコル変換し、パケット終端回路８００へ出力する（ステップＳ４３）。【０１２４】  これら一連の動作の結果、本発明の第２の実施例においても、パケット終端回路８００内の送信回路８０１から送出されるパケットデータは、動作周期に即したパケット数だけ送出することとなる。【０１２５】  図９は、パケット網から回線網方向についての動作を説明するための流れ図である。図１、図７、及び図８を参照して、音声データ処理回路５６０の動作を説明する。【０１２６】  第２のタイマ回路５１１からの一定周期で出力される処理開始要求信号、あるいは第２の判定回路５１３からの再取得要求信号の取得により、符号化データ抽出回路５１２は、受信回路８０２から適当な音声データの取得を試み（ステップＳ５１〜Ｓ５３）、音声データの取得の試みが成功した場合には、符号化データの抽出及び出力を行い（ステップＳ５５）、音声データの取得が失敗した場合には、音声データの取得不可の旨を表す信号を生成して出力する（ステップＳ５６）。【０１２７】  第２の判定回路５１３は、符号化データ抽出回路５１２から音声符号化データ、あるいは取得不可を示す信号を受け取る。第２の判定回路５１３は、符号化データ抽出回路５１２から受け取った信号が取得不可の旨を示す信号である場合、第２の誤り隠蔽処理回路５１６を選択する生成要求信号を出力する（ステップＳ５９）。符号化データ抽出回路５１２から受け取った信号が取得不可の旨を示す信号である場合、生成要求信号を出力するのは、パケット網の遅延ゆらぎ等により受信回路８０２にて保持されるバッファの入出力数のバランスが崩れたか、あるいは、パケット網にてパケットのロスが発生し、適当な音声データの取得ができなかったという判断に基づいている。【０１２８】  第２の判定回路５１３は、取得したデータが音声符号化データであって、直前に生成要求信号を出力していない場合（ステップＳ５７のＹＥＳ分岐）、音声符号化データを、第２の選択回路５１４へ出力する。【０１２９】  第２の判定回路５１３は、前回の判定時に、生成要求信号を出力しており、今回取得された音声符号化データが、生成要求信号の出力タイミングで本来処理されるべき符号化データである場合には、音声符号化データと共に、該データを廃棄する旨を示す廃棄要求信号を第２の選択回路５１４へ出力し、再度、音声符号化データを要求するため、再取得要求信号を符号化データ抽出回路５１２へ出力する（ステップＳ６０）。【０１３０】  更に、廃棄要求信号と再取得要求信号が交互に繰り返され、結果的にデータ多重化回路９００に、第２の誤り隠蔽処理路５１６からの音声ＰＣＭデータを入力として第２の符号化回路５１８から得られる符号化データが連続的に出力される事態の発生を回避するため、第２の判定回路５１３は、回避のためのリセット機能を有する。【０１３１】  第２の選択回路５１４は、第２の判定回路５１３より取得される音声符号化データ、あるいは生成要求信号、廃棄要求信号を取得する。第２の選択回路５１４は、第２の判定回路５１３から受け取った信号が生成要求信号である場合、第２の誤り隠蔽処理回路５１６を選択し、第２の判定回路５１３から音声符号化データを取得した場合、該音声符号化データを第２の復号回路５１７へ出力する。【０１３２】  第２の誤り隠蔽処理回路５１６は、誤り隠蔽処理により、音声ＰＣＭデータを出力する（ステップ６４）。【０１３３】  第２の復号回路５１７は、第２の選択回路５１３から供給される音声符号化データに対して復号処理を行い、音声ＰＣＭデータを出力する（ステップ６５）。【０１３４】  なお、第２の誤り隠蔽処理回路５１６での処理については、第１の誤り隠蔽処理回路５０５での処理同様、直前の音声データを利用する方法、あるいは対象となる音声符号化方式で具備する誤り隠蔽処理を利用する方法等、公知の手法が用いられる。【０１３５】  第２の符号化回路５１８は、第２の誤り隠蔽処理回路５１６、あるいは復号回路５１７からの音声ＰＣＭデータを取得し、符号化処理を行った後（ステップＳ６６）、得られる音声符号化データをデータ多重化回路９００へ出力する。【０１３６】  以降のデータ多重化回路９００、及び回線網終端回路の動作は前述の第１の実施例の場合と同様のため省略する。以上の一連の動作が、異なる音声符号化方式での接続における本発明の動作説明である。【０１３７】  なお、上記音声符号化データの処理方法の回路構成はあくまでも一例であり、その他の回路構成にて同等の処理を実現してもよい。【０１３８】  上記実施例では、図１に示したように、音声及び画像の処理を備えるゲートウェイ装置に基づいて説明したが、本発明はかかる構成にのみ限定されるものでないことは勿論である。例えば図１０に示すように、音声通信のみを取り扱うゲートウェイ装置に適用してもよい。図１０は、本発明の第３の実施例の構成を示す図である。図１０に示すように、このゲートウェイ装置においては、図１の構成から、画像データ処理回路４００、パケット網画像データ終端回路７００を除去したものである。多重化データ分離回路２００は、受信データから、制御データと音声データに分離し、各データを制御データ処理回路３００、音声データ処理回路５５０（５６０）に供給する。データ多重化回路９００は、制御データ処理回路３００、音声データ処理回路５５０（５６０）からの制御データ、音声データを多重した回線網終端回路１００に出力する。これ以外の構成は、前記第１又は第２の実施例の構成、及び動作と同様であるため、説明は省略する。【０１３９】  上記したように、上記実施例によれば、回線網からパケット網方向について、一定の周期で動作する多重化データ分離処理２００から周期あたりに実際に取得された音声符号化データの数と、該周期及び音声符号化方式のフレーム時間長から算出される周期あたりに多重化データ分離回路２００より出力が期待される音声符号化データの数（期待値）との比較を行い、比較結果に応じた適切な判定処理を行い、判定結果に基づき、選択処理にて、符号化データ生成処理の選択、あるいは廃棄処理を行うことで、周期毎での音声パケットデータの送出数を一定にし、送出先の端末での音声品質の劣化を最小限に抑えつつ、音声通信としての短い遅延を維持することを可能としている。【０１４０】  また、上記実施例によれば、パケット網から回線網に関しても、パケット網の遅延ゆらぎの影響により遅着パケットが発生した場合、符号化データ抽出処理から音声データ取得不可の旨を示す信号を出力することで、適切な判定処理を行い、選択処理にて、符号化データ生成処理の選択、あるいは廃棄処理を適宜行うことで、回線網からパケット網方向と同様の効果が期待できる。さらに、上記実施例によれば、トランスコーダ機能を具備するゲートウェイ装置に適用した場合にも、信号品質の劣化を抑えつつ、短い信号の遅延を維持可能としている。なお、本発明のゲートウェイ装置は、回線網、パケット網間の接続に適用して好適とされるが、例えば、異種パケット通信網間の相互接続等にも適用可能であることは勿論である。以上、本発明を上記実施例に即して説明したが、本発明は、上記実施例の構成にのみ限定されるものでなく、本発明の原理に準ずる範囲内で、当業者であれば、なし得るであろう各種変形、修正を含むことは勿論である。
【図１】
2005034447.tif 000003
【図２】
2005034447.tif 000004
【図３】
2005034447.tif 000005
【図４】
2005034447.tif 000006
【図５】
2005034447.tif 000007
【図６】
2005034447.tif 000008
【図７】
2005034447.tif 000009
【図８】
2005034447.tif 000010
【図９】
2005034447.tif 000011
【図１０】
2005034447.tif 000012
【図１１】
2005034447.tif 000013
【図１２】
2005034447.tif 000014
【手続補正書】
【提出日】平成17年2月10日(2005.2.10)
【手続補正００１】
【補正対象書類名】特許請求の範囲
【補正対象項目名】特許請求の範囲
【補正方法】変更
【補正の内容】
【請求項１】第１の通信網と第２の通信網との異種通信網間を接続するゲートウェイ装置において、
前記第１の通信網及び前記第２の通信網の少なくとも一方の通信網からのデータが遅着又は損失したか判定する判定手段と、
前記判定の結果、前記第１の通信網及び前記第２の通信網の少なくとも一方の通信網からのデータが遅着又は損失した場合に、他方の通信網の送出先の端末にて誤り隠蔽処理を実行させるためのデータを生成するか、又は、取得したデータを廃棄する制御を行う制御手段と、
を含む、ことを特徴とするゲートウェイ装置。
【請求項２】前記第１の通信網が回線網よりなり、
前記第２の通信網がパケット網よりなり、
前記回線網からの符号化データが遅着又は損失したか判定する第１の判定手段と、
前記制御手段が、前記判定の結果、前記回線網からの符号化データが遅着又は損失した場合に、前記パケット網側の送出先の端末にて誤り隠蔽処理を実行させるための符号化データを生成するか、又は、取得した符号化データを廃棄する制御を行う第１の制御手段と、
を含む、ことを特徴とする請求項１記載のゲートウェイ装置。
【請求項３】前記第１の通信網が回線網よりなり、
前記第２の通信網がパケット網よりなり、
前記判定手段が、前記パケット網からの符号化データが遅着又は損失したか判定する第２の判定手段と、
前記判定の結果、前記回線網からの符号化データが遅着又は損失した場合に、前記回線網側の送出先の端末にて誤り隠蔽処理を実行させるための符号化データを生成するか、又は、遅着した符号化データを廃棄する制御を行う第２の制御手段と、
を含む、ことを特徴とする請求項１又は２記載のゲートウェイ装置。
【請求項４】第１の通信網と第２の通信網との異種通信網間を接続するゲートウェイ装置において、
前記第１の通信網及び第２の通信網の少なくとも一方の通信網からの符号化データが遅着又は損失したか判定する判定手段と、
前記判定の結果、前記第１の通信網及び第２の通信網の少なくとも一方の通信網からの符号化データが遅着又は損失した場合に、誤り隠蔽処理にてデータを生成するか、又は、取得した符号化データを廃棄する制御を行う制御手段と、
前記制御手段で処理された、前記少なくとも一方の通信網からの符号化データを復号し復号データを出力する復号手段と、
前記制御手段の前記誤り隠蔽処理から得られるデータ、及び、前記復号データを、前記一方の通信網からの符号化データの符号化方式とは異なる符号化方式で符号化して出力する符号化手段と、
を含む、ことを特徴とするゲートウェイ装置。
【請求項５】前記第１の通信網が回線網よりなり、
前記第２の通信網がパケット網よりなり、
前記回線網からの符号化データが遅着又は損失したか判定する第１の判定手段と、
前記判定の結果、前記回線網からの符号化データが遅着又は損失した場合に、誤り隠蔽処理にてデータを生成するか、又は、取得した符号化データを廃棄する制御を行う第１の制御手段と、
前記第１の制御手段で処理された、前記回線網からの符号化データを復号し復号データを出力する第１の復号手段と、
前記第１の制御手段の前記誤り隠蔽処理から得られるデータ、及び、前記第１の復号手段からの前記復号データを、前記回線網からの符号化データの符号化方式とは異なる符号化方式で符号化して出力する第１の符号化手段と、
を含む、ことを特徴とする請求項４記載のゲートウェイ装置。
【請求項６】前記第１の通信網が回線網よりなり、
前記第２の通信網がパケット網よりなり、
前記パケット網からの符号化データが遅着又は損失したか判定する第２の判定手段と、
前記判定の結果、前記回線網からの符号化データが遅着又は損失した場合に、誤り隠蔽処理にてデータを生成するか、又は、遅着した符号化データを廃棄する制御を行う第２の制御手段と、
前記第２の制御手段で処理された前記パケット網からの符号化データを復号し復号データを出力する第２の復号手段と、
前記第２の制御手段の前記誤り隠蔽処理から得られるデータ、及び、前記第２の復号手段からの前記復号データを前記パケット網からの符号化データの符号化方式とは異なる符号化方式で符号化して出力する第２の符号化手段と、
を含む、ことを特徴とする請求項４又は５記載のゲートウェイ装置。
【請求項７】前記第１の判定手段は、前記回線網から、所定の周期あたり、実際に取得した符号化データと、前記周期あたり取得が期待される符号化データの数に関して予め算出された期待値と、を比較し、前記比較結果に基づき、前記回線網からの符号化データが遅着又は損失したか判定する、ことを特徴とする請求項２又は５のいずれか一に記載のゲートウェイ装置。
【請求項８】前記第１の判定手段は、
前記回線網から受信した多重化データを分離する多重化データ分離回路より出力される符号化データを受け取って計数し、所定の周期あたりの符号化データの取得数と、前記多重化データ分離回路から前記周期あたり出力が期待される符号化データの数の期待値とを比較し、比較の結果、
前記符号化データの取得数と前記期待値とが同数の場合には、前記多重化データ分離回路より受け取った前記符号化データを出力し、
前記符号化データの取得数が前記期待値よりも少ない場合には、不足数分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データとともに出力する第１の判定回路を備え、
前記第１の制御手段は、
前記第１の判定回路から出力される、前記符号化データ、前記生成要求信号、前記廃棄要求信号のうちの少なくとも１つを受け取り、
前記第１の判定回路から前記符号化データのみを受け取った場合には、受け取った前記符号化データを出力し、
前記生成要求信号を受け取った場合には、不足分のデータを作成するように指示し、
前記廃棄要求信号を受け取った場合には、受け取った符号化データのうち前記廃棄要求信号の示す過剰分廃棄し、残りの符号化データを出力する第１の選択回路と、
前記第１の選択回路からの指示を受けて、送出先の端末にて誤り隠蔽処理を実行させるための符号化データを生成する第１の符号化データ生成回路と、
を備えている、ことを特徴とする請求項２記載のゲートウェイ装置。
【請求項９】前記第２の判定手段は、所定の周期毎に、前記パケット網からのパケットデータが受信回路より取得可能か否か調べ、前記パケットデータが前記受信回路より得られた場合、前記パケットデータから符号化データを抽出し、前記パケットデータが取得不可の場合、符号化データの遅着又は損失と判定する、ことを特徴とする請求項３又は６記載のゲートウェイ装置。
【請求項１０】前記第２の判定手段は、
所定の周期にて処理開始要求信号を出力するタイマ回路と、
前記タイマ回路からの処理開始要求信号、又は、再取得要求信号を受け取った時点で、前記パケット網からパケットデータを受信する受信回路からパケットデータの取得を試み、
前記試みが成功した場合には、前記パケットデータから符号化データを抽出し、
前記受信回路からパケットデータの取得の試みが失敗した場合には、取得不可の旨を示す信号を出力する符号化データ抽出回路と、
前記符号化データ抽出回路から受け取った信号が、前記取得不可の旨を示す信号である場合、送付先の端末にて誤り隠蔽処理を実行させるために、生成要求信号を出力し、
前記符号化データ抽出回路で抽出された符号化データを受け取り、かつ直前に、前記符号化データ抽出回路が生成要求信号を出力していない場合には、前記符号化データ抽出回路から受け取った符号化データを出力し、
前回の判定の結果、前記符号化データ抽出回路が生成要求信号を出力しており、今回、前記符号化データ抽出回路から受け取った符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記符号化データ抽出回路へ出力する第２の判定回路と、
を備え、
前記第２の制御手段は、
前記第２の判定回路より符号化データだけを受け取った場合には、該符号化データを出力し、前記第２の判定回路より前記生成要求信号を受け取った場合には、誤り隠蔽処理の実行を指示し、前記第２の判定回路より前記廃棄要求信号を受け取った場合には、前記第２の判定回路から受け取った符号化データを必要な分だけ削除し、残りの符号化データを出力する第２の選択回路と、
前記第２の選択回路からの誤り隠蔽処理の実行の指示を受けて、回線網側の端末で、誤り隠蔽処理を実行させるために必要な符号化データを生成する第２の符号化データ生成回路と、
を備えている、ことを特徴とする請求項３記載のゲートウェイ装置。
【請求項１１】前記第１の判定手段は、
前記回線網から受信した多重化データを分離する多重化データ分離回路より出力される符号化データを受け取って計数し、所定の周期あたりの符号化データの取得数と、前記多重化データ分離回路から前記周期あたり出力が期待される符号化データの数の期待値とを比較し、比較の結果、
前記符号化データの取得数と前記期待値とが同数の場合には、前記多重化データ分離回路より受け取った前記符号化データを出力し、
前記符号化データの取得数が前記期待値よりも少ない場合には、不足分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データととも出力する第１の判定回路を備え、
前記第１の制御手段は、
前記第１の判定回路から、前記符号化データ、前記生成要求信号、前記廃棄要求信号のうちの少なくとも１つを受け取り、
前記第１の判定回路から前記符号化データのみを受け取った場合には、受け取った前記符号化データを出力し、
前記生成要求信号を受け取った場合には、不足分のデータを作成するように指示し、
前記廃棄要求信号を受け取った場合には、前記廃棄要求信号の示す数分だけ、受け取った符号化データを廃棄し、残りの符号化データを出力する第１の選択回路と、
前記第１の制御手段の前記第１の選択回路からの指示を受けて、誤り隠蔽処理によりデータを生成する第１の誤り隠蔽処理回路と、
を備え、
前記第１の復号手段は、前記第１の制御手段の前記第１の選択回路で処理された、前記回線網からの符号化データを復号し復号データを出力する第１の復号回路よりなり、
前記第１の符号化手段は、前記第１の復号回路から得られるデータと、前記第１の誤り隠蔽処理回路から得られるデータを符号化して出力する第１の符号化回路よりなる、ことを特徴とする請求項５記載のゲートウェイ装置。
【請求項１２】前記第２の判定手段は、
所定の周期にて処理開始要求信号を出力するタイマ回路と、
前記タイマ回路からの処理開始要求信号、又は、再取得要求信号を受け取った時点で、前記パケット網からパケットデータを受信する受信回路からパケットデータの取得を試み、
前記試みが成功した場合には、前記パケットデータから符号化データを抽出し、
前記受信回路からパケットデータの取得の試みが失敗した場合には、取得不可の旨を示す信号を出力する符号化データ抽出回路と、
前記符号化データ抽出回路から受け取った信号が、前記取得不可の旨を示す信号である場合、誤り隠蔽処理によりデータを生成するために、生成要求信号を出力し、
前記符号化データ抽出回路で抽出された符号化データを受け取り、かつ直前に、前記符号化データ抽出回路が生成要求信号を出力していない場合には、前記符号化データ抽出回路から受け取った符号化データを出力し、
前回の判定の結果、前記符号化データ抽出回路が生成要求信号を出力しており、今回、前記符号化データ抽出回路から受け取った符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記符号化データ抽出回路へ出力する第２の判定回路と、
を備え、
前記第２の制御手段は、
前記第２の判定回路より符号化データだけを受け取った場合には、該符号化データを出力し、前記第２の判定回路より生成要求信号を受け取った場合には、誤り隠蔽処理の実行を指示し、前記第２の判定回路より廃棄要求信号を受け取った場合には、前記第２の判定回路から受け取った符号化データを必要な分だけ削除し残りの符号化データを出力する第２の選択回路と、
誤り隠蔽処理によりデータを生成する第２の誤り隠蔽処理回路と、
を備え、
前記第２の復号手段は、前記第２の制御手段の前記第２の選択回路で処理された、前記パケット網からの符号化データを復号し復号データを出力する第２の復号回路よりなり、
前記第２の符号化手段は、前記第２の復号回路から得られるデータと、前記第２の誤り隠蔽処理回路から得られるデータを符号化して出力する第２の符号化回路よりなる、
ことを特徴とする請求項６記載のゲートウェイ装置。
【請求項１３】回線網とパケット網間を接続するゲートウェイ装置において、
前記回線網から受信した多重化データを分離する多重化データ分離回路と、
前記多重化データ分離回路で分離された符号化データを処理しパケット化して出力するデータ処理回路と、
前記データ処理回路から出力されるパケットデータをパケット網に送信する送信回路と、
を備え、
前記データ処理回路は、
前記回線網から受信した多重化データを分離する多重化データ分離回路より所定の周期毎に出力される符号化データを受け取って計数し、前記所定の周期あたりの符号化データの取得数と、前記多重化データ分離回路から前記周期あたり出力が期待される符号化データの数の期待値とを比較し、比較の結果、
前記符号化データの取得数と前記期待値とが同数の場合には、前記多重化データ分離回路より受け取った前記符号化データを出力し、
前記符号化データの取得数が前記期待値よりも少ない場合には、不足分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データととも出力する第１の判定回路と、
前記第１の判定回路から出力される前記符号化データ、前記生成要求信号、前記廃棄要求信号のうちの少なくとも１つを受け取り、
前記符号化データのみを受け取った場合には、受け取った前記符号化データを出力し、
前記生成要求信号を受け取った場合には、不足分のデータを作成するように指示し、
前記廃棄要求信号を受け取った場合には、該廃棄要求信号の示す数分だけ、受け取った符号化データを廃棄し、残りの符号化データを出力する第１の選択回路と、
前記第１の選択回路からの指示を受けて、パケット網側の送出先の端末にて誤り隠蔽処理を実行させるための符号化データを生成する第１の符号化データ生成回路と、
前記第１の選択回路から出力される符号化データと、前記第１の符号化データ生成回路から出力される符号化データとを入力とし、入力した符号化データをパケットデータ形式に変換するパケットデータ構築回路と、
を備えている、ことを特徴とするゲートウェイ装置。
【請求項１４】回線網とパケット網間を接続するゲートウェイ装置において、
前記パケット網からパケットデータを受信する受信回路と、
前記受信回路からパケットデータを受け取り符号化データを抽出して出力するデータ処理回路と、
前記データ処理回路の出力を多重化して回線網終端回路に出力するデータ多重化回路と、
を備え、
前記データ処理回路は、
所定の周期にて処理開始要求信号を出力するタイマ回路と、
前記タイマ回路からの処理開始要求信号、又は、再取得要求信号を受け取った時点で、前記受信回路からパケットデータの取得を試み、
前記試みが成功した場合、前記パケットデータから符号化データを抽出し、
前記受信回路からパケットデータの取得の試みが失敗した場合に、取得不可の旨を示す信号を出力する符号化データ抽出回路と、
前記符号化データ抽出回路から受け取った信号が、前記取得不可の旨を示す信号である場合、送出先の端末にて誤り隠蔽処理を実行させるために、生成要求信号を出力し、
前記符号化データ抽出回路で抽出された符号化データを受け取り、かつ、直前に前記符号化データ抽出回路が生成要求信号を出力していない場合には、前記符号化データ抽出回路より受け取った符号化データを出力し、
前回の判定の結果、前記符号化データ抽出回路が前記生成要求信号を出力しており、今回、前記符号化データ抽出回路から受け取った符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記符号化データ抽出回路へ出力する第２の判定回路と、
前記第２の判定回路より前記符号化データだけを受け取った場合、前記符号化データを出力し、
前記第２の判定回路より生成要求信号を受け取った場合、符号化データを生成するように指示し、
前記第２の判定回路より廃棄要求信号を受け取った場合、前記第２の判定回路から受け取った符号化データを必要な分だけ削除し、残りの符号化データを出力する第２の選択回路と、
回線網側の送出先の端末で、誤り隠蔽処理を実行させるために必要な符号化データを生成する第２の符号化データ生成回路と、
を備え、
前記第２の選択回路及び前記第２の符号化データ生成回路から出力される符号化データは、前記データ多重化回路を介して、前記回線網に送出される、ことを特徴とするゲートウェイ装置。
【請求項１５】前記パケット網からパケットデータを受信する受信回路と、
前記受信回路からパケットデータを受け取り符号化データを抽出して出力するデータ処理回路と、
前記データ処理回路の出力を多重化して回線網終端回路に出力するデータ多重化回路と、
を備え、
前記データ処理回路は、
所定の周期にて処理開始要求信号を出力するタイマ回路と、
前記タイマ回路からの処理開始要求信号、又は、再取得要求信号を受け取った時点で、前記受信回路からパケットデータの取得を試み、
前記試みが成功した場合、前記パケットデータから符号化データを抽出し、
前記受信回路からパケットデータの取得の試みが失敗した場合に、取得不可の旨を示す信号を出力する符号化データ抽出回路と、
前記符号化データ抽出回路から受け取った信号が、前記取得不可の旨を示す信号である場合、送出先の端末にて誤り隠蔽処理を実行させるために、生成要求信号を出力し、
前記符号化データ抽出回路で抽出された符号化データを受け取り、かつ、直前に前記符号化データ抽出回路が生成要求信号を出力していない場合には、前記符号化データ抽出回路より受け取った符号化データを出力し、
前回の判定の結果、前記符号化データ抽出回路が前記生成要求信号を出力しており、今回、前記符号化データ抽出回路から受け取った符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記符号化データ抽出回路へ出力する第２の判定回路と、
前記第２の判定回路より前記符号化データだけを受け取った場合、前記符号化データを出力し、
前記第２の判定回路より生成要求信号を受け取った場合、符号化データを生成するように指示し、
前記第２の判定回路より廃棄要求信号を受け取った場合、前記第２の判定回路から受け取った符号化データを必要な分だけ削除し、残りの符号化データを出力する第２の選択回路と、
回線網側の送出先の端末で、誤り隠蔽処理を実行させるために必要な符号化データを生成する第２の符号化データ生成回路と、
を備え、
前記第２の選択回路及び前記第２の符号化データ生成回路から出力される符号化データは、前記データ多重化回路を介して、前記回線網に送出される、ことを特徴とする請求項１３記載のゲートウェイ装置。
【請求項１６】回線網とパケット網間を接続し、入力した符号化データを別の符号化方式で再符号化して出力するゲートウェイ装置において、
前記回線網からの多重化データを分離する多重化データ分離回路と、
前記多重化データ分離回路で分離された、第１の符号化方式の符号化データを処理し、第２の符号化方式のデータに再符号化して得られたデータをパケット化して出力するデータ処理回路と、
前記データ処理回路から出力されるパケットデータをパケット網に送信する送信回路と、
を備え、
前記データ処理回路は、
前記多重化データ分離回路から所定の周期毎に出力される符号化データを受け取って計数し、前記所定の周期あたりの符号化データの取得数と、前記多重化データ分離回路から前記周期あたり出力が期待される符号化データの数の期待値とを比較し、比較の結果、
前記符号化データの取得数と前記期待値が同数の場合、前記多重化データ分離回路より受けとった前記符号化データを出力し、
前記符号化データの取得数が前記期待値よりも少ない場合には、不足分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データとともに出力する第１の判定回路と、
前記第１の判定回路から出力される前記符号化データ、前記生成要求信号、前記廃棄要求信号の少なくとも１つを受け取り、前記符号化データのみを受け取った場合には、受け取った前記符号化データを出力し、
前記生成要求信号を受け取った場合には、不足分のデータを作成するように指示し、
前記廃棄要求信号を受け取った場合には、該廃棄要求信号の示す数分だけ、受け取った符号化データを廃棄し、残りの符号化データを出力する第１の選択回路と、
前記第１の選択回路より出力された符号化データを受け取って復号し復号データを出力する第１の復号回路と、
前記第１の選択回路からの指示に基づき、誤り隠蔽処理により、前記生成要求信号の示す分だけデータを出力する第１の誤り隠蔽処理回路と、
前記第１の復号回路からの復号データと、前記第１の誤り隠蔽処理回路からのデータとを入力として受け、入力したデータを第２の符号化方式で符号化した符号化データを出力する第１の符号化回路と、
前記第１の符号化回路によって第２の符号化方式で符号化された符号化データを受け取り、パケットデータに変換して前記送信回路へ出力するパケットデータ構築回路と、
を備えている、ことを特徴とするゲートウェイ装置。
【請求項１７】回線網とパケット網間を接続し、入力した符号化データを別の符号化方式で再符号化して出力するゲートウェイ装置において、
前記パケット網からパケットデータを受信する受信回路と、
前記受信回路からパケットデータを受け取り第２の符号化方式で符号化された符号化データを抽出し、第１の符号化方式で再符号化して出力するデータ処理回路と、
前記データ処理回路の出力データを多重化して回線網終端回路に出力するデータ多重化回路と、
を備え、
前記データ処理回路が、
所定の周期にて処理開始要求信号を出力するタイマ回路と、
前記タイマ回路からの処理開始要求信号、あるいは入力される再取得要求信号を受け取った時点で、前記受信回路からパケットデータの取得を試み、
前記試みが成功した場合、前記パケットデータから、前記第２の符号化方式で符号化された符号化データを抽出し、
前記受信回路からパケットデータの取得の試みが失敗した場合、取得不可の旨を示す信号を出力する符号化データ抽出回路と、
前記符号化データ抽出回路から符号化データ又は取得不可の旨を示す信号を入力し、前記符号化データ抽出回路から受け取った信号が、取得不可の旨を示す信号である場合、回線網の送出先の端末にて誤り隠蔽処理を実行させるために生成要求信号を出力し、
前記符号化データ抽出回路から符号化データを受け取り、かつ、直前に前記符号化データ抽出回路が生成要求信号を出力していない場合には、前記符号化データ抽出回路から受け取った前記符号化データを出力し、
前回の判定の結果、前記符号化データ抽出回路が前記生成要求信号を出力しており、今回、前記符号化データ抽出回路から受け取った符号化データが、前記生成要求信号の出力タイミングで処理されるべき符号化データである場合には、前記符号化データと共に、前記符号化データを廃棄する旨を示す廃棄要求信号を出力し、さらに、再度、符号化データを要求するための、再取得要求信号を、前記符号化データ抽出回路へ出力する第２の判定回路と、
前記第２の判定回路から符号化データだけを受け取った場合、前記符号化データを出力し、
前記第２の判定回路より生成要求信号を受け取った場合、誤り隠蔽処理の実行を指示し、
前記第２の判定回路より廃棄要求信号を受け取った場合、前記第２の判定回路から受け取った符号化データを必要な分だけ削除し、残りの符号化データを出力する第２の選択回路と、
前記第２の選択回路からの指示に基づき、誤り隠蔽処理によりデータを出力する第２の誤り隠蔽処理回路と、
前記第２の選択回路から出力される符号化データを入力し、入力した前記符号化データを復号し復号データを出力する第２の復号回路と、
前記第２の復号回路からの復号データと、前記第２の誤り隠蔽処理回路からのデータとを入力として受け、前記入力したデータを、接続先の第１の符号化方式にしたがって符号化して得られた符号化データを出力する第２の符号化回路と、
を備え、
前記第２の符号化データ生成回路から出力される符号化データは、前記データ多重化回路を介して、前記回線網に送出される、ことを特徴とするゲートウェイ装置。
【請求項１８】前記パケット網からパケットデータを受信する受信回路と、
前記受信回路からパケットデータを受け取り第２の符号化方式で符号化された符号化データを抽出し、第１の符号化方式で再符号化して出力するデータ処理回路と、
前記データ処理回路の出力データを多重化して回線網終端回路に出力するデータ多重化回路と、
を備え、
前記データ処理回路が、
所定の周期にて処理開始要求信号を出力するタイマ回路と、
前記タイマ回路からの処理開始要求信号、あるいは入力される再取得要求信号を受け取った時点で、前記受信回路からパケットデータの取得を試み、
前記試みが成功した場合、前記パケットデータから、前記第２の符号化方式で符号化された符号化データを抽出し、
前記受信回路からパケットデータの取得の試みが失敗した場合、取得不可の旨を示す信号を出力する符号化データ抽出回路と、
前記符号化データ抽出回路から符号化データ又は取得不可の旨を示す信号を入力し、前記符号化データ抽出回路から受け取った信号が、取得不可の旨を示す信号である場合、回線網の送出先の端末にて誤り隠蔽処理を実行させるために生成要求信号を出力し、
前記符号化データ抽出回路から符号化データを受け取り、かつ、直前に前記符号化データ抽出回路が生成要求信号を出力していない場合には、前記符号化データ抽出回路から受け取った前記符号化データを出力し、
前回の判定の結果、前記符号化データ抽出回路が前記生成要求信号を出力しており、今回、前記符号化データ抽出回路から受け取った符号化データが、前記生成要求信号の出力タイミングで処理されるべき符号化データである場合には、前記符号化データと共に、前記符号化データを廃棄する旨を示す廃棄要求信号を出力し、さらに、再度、符号化データを要求するための、再取得要求信号を、前記符号化データ抽出回路へ出力する第２の判定回路と、
前記第２の判定回路から符号化データだけを受け取った場合、前記符号化データを出力し、
前記第２の判定回路より生成要求信号を受け取った場合、誤り隠蔽処理の実行を指示し、
前記第２の判定回路より廃棄要求信号を受け取った場合、前記第２の判定回路から受け取った符号化データを必要な分だけ削除し、残りの符号化データを出力する第２の選択回路と、
前記第２の選択回路からの指示に基づき、誤り隠蔽処理によりデータを出力する第２の誤り隠蔽処理回路と、
前記第２の選択回路から出力される符号化データを入力し、入力した前記符号化データを復号し復号データを出力する第２の復号回路と、
前記第２の復号回路からの復号データと、前記第２の誤り隠蔽処理回路からのデータとを入力として受け、前記入力したデータを、接続先の第１の符号化方式にしたがって符号化して得られた符号化データを出力する第２の符号化回路と、
を備え、
前記第２の符号化データ生成回路から出力される符号化データは、前記データ多重化回路を介して、前記回線網に送出される、ことを特徴とする請求項１６記載のゲートウェイ装置。
【請求項１９】前記多重化データ分離回路の処理を起動するための信号を周期的に出力するタイマ回路を前記データ処理回路外部に備えている、ことを特徴とする請求項１３又は１６記載のゲートウェイ装置。
【請求項２０】前記データ多重化回路の処理を起動するための信号を周期的に出力するタイマ回路を前記データ処理回路外部に備えている、ことを特徴とする請求項１４、１５、１７のいずれか一に記載のゲートウェイ装置。
【請求項２１】前記多重化データ分離回路の処理を起動するための信号と前記データ多重化回路の処理を起動するための信号を周期的に出力するタイマ回路を前記データ処理回路外部に備えている、ことを特徴とする請求項１５又は１８記載のゲートウェイ装置。
【請求項２２】前記符号化データが、音声符号化データである、ことを特徴とする請求項２乃至２１のいずれか一に記載のゲートウェイ装置。
【請求項２３】前記多重化データ分離回路が、多重化されたデータを、音声データと制御データ、又は、音声データと画像データと制御データに分離する、ことを特徴とする請求項８、１１、１３、１５、１８のいずれか一に記載のゲートウェイ装置。
【請求項２４】前記データ多重化回路が、音声データと制御データ、又は、音声データと画像データと制御データに多重化する、ことを特徴とする請求項１４、１５、１７、１８のいずれか一に記載のゲートウェイ装置。
【請求項２５】第１の通信網と第２の通信網との異種通信網間を接続するゲートウェイ装置による符号化データの処理方法において、
（ａ）前記ゲートウェイ装置が、前記第１の通信網及び前記第２の通信網の少なくとも一方の通信網からのデータが遅着または損失したか判定するステップと、
（ｂ）前記判定の結果、前記第１の通信網及び前記第２の通信網の少なくとも一方の通信網からのデータが遅着又は損失した場合に、前記ゲートウェイ装置は、送出先の端末にて誤り隠蔽処理を実行させるためのデータを生成するか、又は、取得した符号化データを廃棄するステップと、
を含む、ことを特徴とする、ゲートウェイ装置の符号化データの処理方法。
【請求項２６】前記第１の通信網が回線網よりなり、
前記第２の通信網がパケット網よりなり、
（ａ１）前記ゲートウェイ装置が、前記回線網からの符号化データが遅着又は損失したか判定するステップと、
（ｂ１）前記判定の結果、前記回線網からの符号化データが遅着又は損失した場合に、前記ゲートウェイ装置は、送出先の端末にて誤り隠蔽処理を実行させるための符号化データを生成するか、又は、取得した符号化データを廃棄する制御を行うステップと、
を含む、ことを特徴とする請求項２５記載のゲートウェイ装置の符号化データの処理方法。
【請求項２７】前記第１の通信網が回線網よりなり、
前記第２の通信網がパケット網よりなり、
（ａ２）前記ゲートウェイ装置が、前記パケット網からの符号化データが遅着または損失したか判定するステップと、
（ｂ２）前記判定の結果、前記パケット網からの符号化データが遅着又は損失した場合に、前記ゲートウェイ装置は、送出先の端末にて誤り隠蔽処理を実行させるための符号化データを生成するか、又は、遅着した符号化データを廃棄するステップと、
を含む、ことを特徴とする、請求項２５又は２６記載のゲートウェイ装置の符号化データの処理方法。
【請求項２８】第１の通信網と第２の通信網との異種通信網間を接続するゲートウェイ装置による符号化データの処理方法において、
（ａ）前記ゲートウェイ装置が、前記第１の通信網及び第２の通信網の少なくとも一方の通信網からの符号化データが遅着又は損失したか判定するステップと、
（ｂ）前記判定の結果、前記第１の通信網及び第２の通信網の少なくとも一方の通信網からの符号化データが遅着又は損失した場合に、前記ゲートウェイ装置は、誤り隠蔽処理によりデータを生成するか、又は、取得した符号化データを廃棄する制御を行うステップと、
（ｃ）前記ゲートウェイ装置は、前記ステップ（ｂ）で処理された、前記少なくとも一方の通信網からの符号化データを復号し復号データを出力するステップと、
（ｄ）前記ゲートウェイ装置は、前記誤り隠蔽処理から得られるデータ、及び、前記復号データを、前記一方の通信網からの符号化データの符号化方式とは異なる符号化方式で符号化して出力するステップと、
を含む、ことを特徴とする、ゲートウェイ装置の符号化データの処理方法。
【請求項２９】前記第１の通信網が回線網よりなり、
前記第２の通信網がパケット網よりなり、
（ａ１）前記ゲートウェイ装置が、前記回線網からの符号化データが遅着又は損失したか判定するステップと、
（ｂ１）前記判定の結果、前記回線網からの符号化データが遅着又は損失した場合に、前記ゲートウェイ装置は、誤り隠蔽処理にてデータを生成するか、又は、取得した符号化データを廃棄する制御を行うステップと、
（ｃ１）前記ゲートウェイ装置は、前記ステップ（ｂ１）で処理された、前記回線網からの符号化データを復号し復号データを出力するステップと、
（ｄ１）前記ゲートウェイ装置は、前記誤り隠蔽処理から得られるデータ、及び、前記復号データを、前記回線網からの符号化データの符号化方式とは異なる符号化方式で符号化して出力するステップと、
を含む、ことを特徴とする請求項２８記載のゲートウェイ装置の符号化データの処理方法。
【請求項３０】前記第１の通信網が回線網よりなり、
前記第２の通信網がパケット網よりなり、
（ａ２）前記ゲートウェイ装置が、前記パケット網からの符号化データが遅着又は損失したか判定するステップと、
（ｂ２）前記判定の結果、前記回線網からの符号化データが遅着又は損失した場合に、前記ゲートウェイ装置は、誤り隠蔽処理にてデータを生成するか、又は、遅着した符号化データを廃棄する制御を行うステップと、
（ｃ２）前記ゲートウェイ装置は、前記ステップ（ｂ２）で処理された前記パケット網からの符号化データを復号し復号データを出力するステップと、
（ｄ２）前記ゲートウェイ装置は、前記誤り隠蔽処理から得られるデータ、及び、前記復号データを、前記パケット網からの符号化データの符号化方式とは異なる符号化方式で符号化して出力するステップと、
を含む、ことを特徴とする請求項２８又は２９記載のゲートウェイ装置の符号化データの処理方法。
【請求項３１】前記ステップ（ａ１）が、前記回線網から、所定の周期あたり、実際に取得した符号化データと、前記周期あたり取得が期待される符号化データの数に関して予め算出された期待値と、を比較し、前記比較結果に基づき、前記回線網からの符号化データが遅着又は損失したか判定する、ことを特徴とする請求項２６又は２９記載のゲートウェイ装置の符号化データの処理方法。
【請求項３２】前記ステップ（ａ１）が、
（ａ１１）前記回線網から受信した多重化データを分離する多重化データ分離回路より出力される符号化データを受け取って計数し、所定の周期あたりの符号化データの取得数と、前記多重化データ分離回路から前記周期あたり出力が期待される符号化データの数の期待値とを比較するステップと、
（ａ１２）比較の結果、前記符号化データの取得数と前記期待値とが同数の場合には、前記多重化データ分離回路より受け取った前記符号化データを出力し、
前記符号化データの取得数が前記期待値よりも少ない場合には、不足分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データととも出力するステップと、
を含み、
前記ステップ（ｂ１）が、
（ｂ１１）前記ステップ（ａ１２）から出力される、前記符号化データ、又は、前記生成要求信号、又は、前記廃棄要求信号を受け取り、
前記符号化データのみを受け取った場合には、受け取った前記符号化データを出力し、
前記生成要求信号を受け取った場合には、不足分のデータを作成するように指示し、
前記廃棄要求信号を受け取った場合には、該廃棄要求信号の示す数分だけ、受け取った符号化データを廃棄し、残りの符号化データを出力するステップと、
（ｂ１２）前記不足分のデータを作成する指示を受けて、送出先の端末にて誤り隠蔽処理を実行させるための符号化データを生成するステップと、
を含む、ことを特徴とする請求項２６記載のゲートウェイ装置の符号化データの処理方法。
【請求項３３】前記ステップ（ａ２）が、所定の周期毎に、パケット網からのパケットデータが受信回路より取得可能か否か調べ、前記受信回路よりパケットデータが得られた場合、前記パケットデータから符号化データを抽出し、前記パケットデータが取得不可の場合、符号化データの遅着又は損失と判定する、ことを特徴とする請求項２７又は３０記載のゲートウェイ装置の符号化データの処理方法。
【請求項３４】前記ステップ（ａ２）が、
（ａ２１）所定の周期にて処理開始要求信号を出力するタイマ回路からの処理開始要求信号、又は、再取得要求信号を受け取った時点で、前記パケット網からパケットデータを受信する受信回路からパケットデータの取得を試み、
前記試みが成功した場合、前記パケットデータから符号化データを抽出し、前記受信回路からパケットデータの取得の試みが失敗した場合に、取得不可の旨を示す信号を出力する、符号化データ抽出処理を実行するステップと、
（ａ２２）前記ステップ（ａ２１）からの出力が前記取得不可の旨を示す信号である場合、送出先の端末にて誤り隠蔽処理を実行させるために生成要求信号を出力し、
前記ステップ（ａ２１）で出力された符号化データを受け取り、かつ直前に、前記生成要求信号を出力していない場合には、前記ステップ（ａ２１）で出力された符号化データを出力し、
前回の判定の結果、前記ステップ（ａ２１）ですでに生成要求信号を出力しており、今回、前記ステップ（ａ２１）で出力された符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記ステップ（ａ２１）の符号化データ抽出処理へ出力するステップと、
を含み、
前記ステップ（ｂ２）が、
（ｂ２１）前記ステップ（ａ２２）より、前記生成要求信号が出力された場合、誤り隠蔽処理の実行を指示し、前記ステップ（ａ２２）より、廃棄要求信号が出力された場合、前記ステップ（ａ２２）で出力された符号化データを必要な分だけ削除し、残りの符号化データを出力するステップと、
（ｂ２２）回線網側の送出先の端末で誤り隠蔽処理を実行させるために必要な符号化データを生成するステップと、
を含む、ことを特徴とする請求項２７記載のゲートウェイ装置の符号化データの処理方法。
【請求項３５】前記ステップ（ａ１）が、
（ａ１１）前記回線網から受信した多重化データを分離する多重化データ分離回路より出力される符号化データを受け取って計数し、所定の周期あたりの符号化データの取得数と、前記多重化データ分離回路から前記周期あたり出力が期待される符号化データの数の期待値とを比較するステップと、
（ａ１２）比較の結果、前記符号化データの取得数と前記期待値とが同数の場合には、前記多重化データ分離回路より受け取った前記符号化データを出力し、
前記符号化データの取得数が前記期待値よりも少ない場合には、不足分のデータを生成させるための生成要求信号を、前記多重化データ分離回路より取得した前記符号化データとともに出力し、
前記符号化データの取得数が前記期待値よりも多い場合には、過剰分の符号化データを廃棄するための廃棄要求信号を、前記多重化データ分離回路より取得した前記符号化データととも出力するステップと、
を含み、
前記ステップ（ｂ１）が、
（ｂ１１）前記ステップ（ａ１２）から出力される、前記符号化データ、又は、前記生成要求信号、又は、前記廃棄要求信号を受け取り、
前記符号化データのみを受け取った場合には、受け取った前記符号化データを出力し、
前記生成要求信号を受け取った場合には、不足分のデータを作成するように指示し、
前記廃棄要求信号を受け取った場合には、該廃棄要求信号の示す数分だけ、受け取った符号化データを廃棄し、残りの符号化データを出力するステップと、
（ｂ１２）前記ステップ（ｂ１１）から前記不足分のデータを作成する指示が出力された場合、誤り隠蔽処理によりデータを生成するステップと、
（ｂ１３）前記ステップ（ｂ１１）から出力される符号化データを復号し復号データを出力するステップと、
（ｂ１４）前記復号データと、前記誤り隠蔽処理から得られるデータとを受け、前記回線網から受け取った前記符号化データの符号化方式とは別のパケット網側の符号化方式で符号化した符号化データを生成するステップと、
を含む、ことを特徴とする請求項２９記載のゲートウェイ装置の符号化データの処理方法。
【請求項３６】前記ステップ（ａ２）が、
（ａ２１）所定の周期にて処理開始要求信号を出力するタイマ回路からの処理開始要求信号、又は、再取得要求信号を受け取った時点で、前記パケット網からパケットデータを受信する受信回路からパケットデータの取得を試み、
前記試みが成功した場合、前記パケットデータから符号化データを抽出し、前記受信回路からパケットデータの取得の試みが失敗した場合に、取得不可の旨を示す信号を出力する、符号化データ抽出処理を実行するステップと、
（ａ２２）前記ステップ（ａ２１）からの出力が前記取得不可の旨を示す信号である場合、誤り隠蔽処理を行うために生成要求信号を出力し、
前記ステップ（ａ２１）で出力された符号化データを受け取り、かつ直前に、前記生成要求信号を出力していない場合には、前記ステップ（ａ２１）で出力された符号化データを出力し、
前回の判定の結果、前記ステップ（ａ２１）ですでに生成要求信号を出力しており、今回、前記ステップ（ａ２１）で出力された符号化データが、前記生成要求信号の出力タイミングで処理されるべき符号化データである場合には、前記符号化データとともに、前記符号化データを廃棄する旨を示す廃棄要求信号を出力し、さらに、再度、符号化データを要求するための、再取得要求信号を、前記ステップ（ａ２１）の符号化データ抽出処理へ出力するステップと、
を含み、
前記ステップ（ｂ２）が、
（ｂ２１）前記ステップ（ａ２２）より、前記生成要求信号が出力された場合、誤り隠蔽処理の実行を指示し、前記第２の判定回路より廃棄要求信号が出力された場合、前記第２の判定回路から受け取った符号化データを必要な分だけ削除し、残りの符号化データを出力するステップと、
（ｂ２２）前記ステップ（ｂ２１）から出力される符号化データを復号し、復号データを出力するステップと、
（ｂ２３）誤り隠蔽処理によりデータを生成するステップと、
（ｂ２４）前記復号データと、前記誤り隠蔽処理から得られるデータとを受け、前記パケット網から受信した符号化データの符号化方式とは異なる回線網側の符号化方式で符号化し符号化データを出力するステップと、
を含む、ことを特徴とする請求項３０記載のゲートウェイ装置の符号化データの処理方法。
【請求項３７】回線網とパケット網間を接続するゲートウェイ装置における符号化データの処理方法において、
前記回線網からの多重化データを分離する多重化データ分離回路から出力されたデータを受け取って処理し、パケットデータを送信回路を介して、前記パケット網に出力するデータ処理回路が、
（Ａ１）前記多重化データ分離回路から出力される符号化データを受け取って計数し、所定の周期あたりの符号化データの取得数と、前記多重化データ分離回路から前記周期あたり出力が期待される符号化データの数の期待値とを比較するステップと、
（Ａ２）前記比較の結果、前記符号化データの取得数と前記期待値が同数の場合、前記多重化データ分離回路より受けとった前記符号化データを出力し、
前記符号化データの取得数が前記期待値よりも少ない場合には、不足分のデータを生成させるための生成要求信号を、取得した前記符号化データとともに出力し、
前記符号化データの取得数が前記期待値よりも多い場合には、過剰分の符号化データを廃棄するための廃棄要求信号を、取得した前記符号化データとともに出力する、ステップと、
（Ａ３）前記ステップ（Ａ２）の判定の結果、前記符号化データのみが出力された場合には、前記符号化データをそのまま出力し、
前記生成要求信号が出力された場合には、不足分のデータを作成するように指示し、
前記廃棄要求信号を受け取った場合には、該廃棄要求信号の示す数分だけ、受け取った符号化データを廃棄し、残りの符号化データを出力するステップと、
（Ａ４）前記ステップ（Ａ３）により、不足分のデータを作成する指示が出力された場合、送出先の端末にて誤り隠蔽処理を実行させるための符号化データを生成するステップと、
（Ａ５）前記ステップ（Ａ３）により出力された符号化データ、又は、前記ステップ（Ａ４）により出力された誤り隠蔽処理用の符号化データを、パケットデータ形式に変換し前記送信回路に出力するステップと、
を含む、ことを特徴とする、ゲートウェイ装置の符号化データ処理方法。
【請求項３８】回線網とパケット網間を接続するゲートウェイ装置における符号化データの処理方法において、
前記パケット網からパケットデータを受信する受信回路からパケットデータを受け取り、符号化データを抽出し、データ多重化回路を介して前記回線網に出力するデータ処理回路が、
（Ｂ１）タイマから所定の周期にて出力される処理開始要求信号、又は、再取得要求信号を受け取った時点で、前記受信回路からパケットデータの取得を試み、前記試みが成功した場合、前記パケットデータから、符号化データを抽出し、前記受信回路からパケットデータの取得の試みが失敗した場合、取得不可の旨を示す信号を出力する符号化データ抽出処理を行うステップと、
（Ｂ２）前記ステップ（Ｂ１）の前記符号化データ抽出処理から取得不可の旨を示す信号が出力された場合、回線網先の端末にて誤り隠蔽処理を実行させるために、生成要求信号を出力し、前記符号化データ抽出処理から符号化データが出力され、かつ直前に、前記符号化データ抽出処理が生成要求信号を出力していない場合には、前記符号化データ抽出処理から受け取った符号化データを出力し、今回の判定の直前の判定の結果、前記生成要求信号を出力しており、今回、前記符号化データ抽出処理から出力された符号化データが、前記生成要求信号の出力タイミングで処理されるべき符号化データである場合、前記符号化データと共に、前記符号化データを廃棄する旨を示す廃棄要求信号を出力し、さらに、再度、符号化データを要求するための、再取得要求信号を、前記符号化データ抽出処理へ出力するステップと、
（Ｂ３）前記ステップ（Ｂ２）より、符号化データだけが出力された場合、該符号化データを出力し、
前記ステップ（Ｂ２）より、生成要求信号が出力された場合、符号化データ生成処理の実行を指示し、
前記ステップ（Ｂ２）より、廃棄要求信号が出力された場合、前記符号化データを必要な分だけ削除し、残りの符号化データを出力する選択ステップと、
（Ｂ４）回線網側の送出先の端末で、誤り隠蔽処理を実行させるために必要な符号化データを生成するステップと、
（Ｂ５）前記ステップ（Ｂ３）から出力される符号化データ、又は、前記ステップ（Ｂ４）から出力される符号化データを、前記データ多重化回路を介して、前記回線網に送出するステップと、
を含む、ことを特徴とするゲートウェイ装置の符号化データ処理方法。
【請求項３９】回線網とパケット網間を接続し、入力した符号化データを別の符号化方式で再符号化して出力するゲートウェイ装置の符号化データ処理方法において、
前記多重化データ分離回路で分離された、第１の符号化方式の符号化データを処理し、第２の符号化方式のデータに再符号化して得られたデータをパケット化し送信回路を介して前記パケット網に出力するデータ処理回路が、
（Ａ１）前記多重化データ分離回路から出力される符号化データを受け取って計数し、所定の周期あたりの符号化データの取得数と、前記多重化データ分離回路から前記周期あたり出力が期待される符号化データの数の期待値とを比較するステップと、
（Ａ２）比較の結果、前記符号化データの取得数と前記期待値が同数の場合、前記多重化データ分離回路より受けとった前記符号化データを出力し、
前記符号化データの取得数が前記期待値よりも少ない場合には、不足分のデータを生成させるための生成要求信号を出力し、
前記符号化データの取得数が前記期待値よりも多い場合には、過剰分の符号化データを廃棄するための廃棄要求信号を出力するステップと、
（Ａ３）前記ステップ（Ａ２）より、前記符号化データのみが出力された場合には、前記符号化データを出力し、
前記ステップ（Ａ２）より、前記生成要求信号が出力された場合には、不足分のデータを作成するように指示し、
前記ステップ（Ａ２）より、前記廃棄要求信号が出力された場合には、該廃棄要求信号の示す数分だけ、受け取った符号化データを廃棄し、残りの符号化データを出力するステップと、
（Ａ４）前記ステップ（Ａ３）より出力された符号化データを復号し復号データを出力する復号ステップと、
（Ａ５）前記ステップ（Ａ３）より出力された指示に基づき、誤り隠蔽処理により、前記生成要求信号の示す分だけデータを出力するステップと、
（Ａ６）前記ステップ（Ａ４）で生成された復号データ、又は、前記ステップ（Ａ５）で生成されたデータを、第２の符号化方式で符号化し符号化データを出力するステップと、
（Ａ７）前記第２の符号化方式で符号化されたデータをパケットデータに変換して、前記送信回路に出力するステップと、
を含む、ことを特徴とするゲートウェイ装置の符号化データ処理方法。
【請求項４０】回線網とパケット網間を接続し、入力した符号化データを別の符号化方式で再符号化して出力するゲートウェイ装置の符号化データ処理方法において、
前記パケット網からパケットデータを受信する受信回路からパケットデータを受け取り第２の符号化方式で符号化された符号化データを抽出し、第１の符号化方式で再符号化し、データ多重化回路を介して前記回線網に出力するデータ処理回路が、
（Ｂ１）タイマ回路からの処理開始要求信号、あるいは入力される再取得要求信号を受け取った時点で、前記受信回路からパケットデータの取得を試み、前記試みが成功した場合、前記パケットデータから、前記第２の符号化方式で符号化された符号化データを抽出し、前記受信回路からパケットデータの取得の試みが失敗した場合、取得不可の旨を示す信号を出力する、符号化データ抽出処理を行うステップと、
（Ｂ２）前記ステップ（Ｂ１）の前記符号化データ抽出処理から取得不可の旨を示す信号が出力された場合、回線網の送出先の端末にて誤り隠蔽処理を実行させるために生成要求信号を出力し、
前記符号化データ抽出処理から出力された符号化データを受け取り、かつ直前に、前記符号化データ抽出処理が生成要求信号を出力していない場合には、前記符号化データ抽出処理から受け取った符号化データを出力し、
前回の判定の結果、前記符号化データ抽出処理が前記生成要求信号を出力しており、今回、前記符号化データ抽出処理から受け取った符号化データが、前記生成要求信号の出力タイミングで処理されるべき符号化データである場合、前記符号化データと共に、前記符号化データを廃棄する旨を示す廃棄要求信号を出力し、さらに、再度、符号化データを要求するための、再取得要求信号を、前記符号化データ抽出処理へ出力するステップと、
（Ｂ３）前記ステップ（Ｂ２）より、符号化データだけが出力された場合、前記符号化データを出力し、
前記ステップ（Ｂ２）より、生成要求信号が出力された場合、誤り隠蔽処理の実行を指示し、
前記ステップ（Ｂ２）より、廃棄要求信号が出力された場合、前記符号化データを必要な分だけ削除し、残りの符号化データを出力するステップと、
（Ｂ４）前記ステップ（Ｂ３）からの指示に基づき、誤り隠蔽処理によりデータを出力するステップと、
（Ｂ５）前記ステップ（Ｂ３）から出力される符号化データを復号し復号データを出力するステップと、
（Ｂ６）前記ステップ（Ｂ５）からの復号データ、又は、前記ステップ（Ｂ４）の前記誤り隠蔽処理により得られたデータを、送信先側の第１の符号化方式にしたがって符号化し、得られた符号化データを出力する第２の符号化ステップと、
（Ｂ７）前記第１の符号化方式の符号化データを、前記データ多重化回路を介して前記回線網に送出するステップと、
を含む、ことを特徴とするゲートウェイ装置の符号化データ処理方法。
【請求項４１】回線網とパケット網との異種通信網間を接続するゲートウェイ方式の、前記回線網と前記パケット網の少なくとも一方の通信網から他方の通信網方向の符号化データの処理方法において、
前記回線網と前記パケット網の少なくとも一方の通信網からの符号化データが遅着又は損失した場合には、他方の通信網の送出先の端末にて誤り隠蔽処理を実行させるためのデータの生成処理を行うか、又は、取得した符号化データの廃棄処理を行い、前記符号化データの送出を行う、ことを特徴とする符号化データの処理方法。
【請求項４２】（補正後）回線網とパケット網の接続を行うゲートウェイ装置であって、
回線網から所定の周期あたり実際に取得された符号化データの数と、前記周期あたり取得が期待される符号化データの数の期待値との比較を行い、前記比較の結果、前記実際に取得した符号化データの数が前記期待値を下回った場合、符号化データを生成し、前記実際に取得した符号化データの数が前記期待値を上回った場合、取得した符号化データの過剰分の廃棄処理を行うことで、前記周期における期待値数分の符号化データをパケット化し、前記周期毎での前記パケット網へのパケットデータの送出数を一定数に保つように制御する制御部を備えている、ことを特徴とするゲートウェイ装置。
【請求項４３】前記実際に取得した符号化データの数が前記期待値を下回った場合に生成される前記符号化データは、送出先の端末に誤り隠蔽処理を実行させるものである、ことを特徴とする請求項４２記載のゲートウェイ装置。
【請求項４４】前記符号化データを復号したのち再符号化して得られた符号化データを前記パケット網に出力する、ことを特徴とする請求項４２又は４３記載のゲートウェイ装置。
【請求項４５】パケット網と回線網の接続を行うゲートウェイ装置であって、
所定の周期で前記パケット網からパケットが受信できず遅着パケットが発生した場合、受信したパケットデータから符号化データを抽出するにあたり、データの取得不可の旨を示す信号を出力する符号化データ抽出部と、
前記符号化データ抽出部からの出力に基づき、符号化データを生成するか、あるいは廃棄処理を行って、前記回線網に符号化データを出力するように制御する制御部と、
を備えている、ことを特徴とするゲートウェイ装置。
【請求項４６】前記符号化データ抽出部からの出力に基づき生成される前記符号化データは、送出先の端末に誤り隠蔽処理を実行させるものである、ことを特徴とする請求項４５記載のゲートウェイ装置。
【請求項４７】前記符号化データを復号したのち再符号化して得られた符号化データを前記回線網に出力する、ことを特徴とする請求項４５又は４６記載のゲートウェイ装置。




【国際調査報告】
2005034447.tif 000015
2005034447.tif 000016
2005034447.tif 000017
2005034447.tif 000018